(57)【特許請求の範囲】
【請求項１】
ネットワークノードからデータを受信するデータ受信装置であって、
前記ネットワークノードから基準信号を受信する受信ユニットと、
前記データ受信装置が受ける干渉に関する想定である複数の干渉仮定を有し、前記受信ユニットによって受信されて前記複数の干渉仮定の第１の干渉仮定に従って処理された前記基準信号、に従って第１のチャネル品質を求め、前記受信ユニットによって受信されて前記複数の干渉仮定の別の第２の干渉仮定に従って処理された前記基準信号、に従って第２のチャネル品質を求める、チャネル状態判定ユニットと、
前記第１のチャネル品質および前記第２のチャネル品質をチャネル品質メッセージの中で前記ネットワークノードに送信する送信ユニットと、
を備え、
前記チャネル状態判定ユニットが、複数の空間レイヤの第３のチャネル品質を前記基準信号に従って求めるようにさらに構成されており、
前記装置が、
−  前記第１のチャネル品質および前記第２のチャネル品質、
−  または、前記第３のチャネル品質、
のいずれかを含むチャネル状態情報メッセージ、を生成するチャネル状態情報生成ユニット、
をさらに備え、
前記チャネル状態情報メッセージが、次のフォーマット、すなわち、
−  前記第３のチャネル品質をシグナリングするときには、ランクインジケータが、複数のアンテナによって送信されるレイヤの数を示し、前記第３のチャネル品質が、前記ランクインジケータによって示される前記レイヤの数に従う複数のコードワードのチャネル品質を含み、プリコーディング行列インジケータが、マルチレイヤ送信のプリコーディング行列を示し、
−  前記第１のチャネル品質および前記第２のチャネル品質をシグナリングするときには、仮定インジケータが、チャネル品質がシグナリングされる対象の仮定を示し、前記第１のチャネル品質もしくは前記第２のチャネル品質またはその両方が、前記仮定インジケータによる仮定に関連し、プリコーディング行列インジケータが、シングルレイヤ送信のプリコーディング行列を示す、
フォーマット、を有する、
データ受信装置。
【請求項２】
前記第１の干渉仮定が、干渉が存在しないことであり、前記第２の干渉仮定が、干渉が存在することであり、前記データ受信装置が、
干渉の除去または抑制によって、前記受信された基準信号を前記第２の干渉仮定に従って処理する干渉除去ユニット、
をさらに備えている、
請求項１に記載のデータ受信装置。
【請求項３】
前記チャネル状態情報メッセージが、前記第１のチャネル品質および前記第２のチャネル品質をシグナリングするときと、前記第３のチャネル品質をシグナリングするときとで、同じ長さを有し、
前記プリコーディング行列インジケータが、マルチレイヤ送信のプリコーディング行列を示すときと、シングルレイヤ送信のプリコーディング行列を示すときとで、同じ長さを有し、
前記ランクインジケータと仮定インジケータとが同じ長さを有する、
請求項１に記載のデータ受信装置。
【請求項４】
アンテナポートの第１の数の場合に、１つのコードワードのチャネル品質情報が、１つの干渉仮定に関連するチャネル品質情報と同じ長さを有する、請求項３に記載のデータ受信装置。
【請求項５】
アンテナポートの第２の数の場合に、一方の干渉仮定に関連するチャネル品質情報が、他方の干渉仮定に関連するチャネル品質情報より短い長さを有し、少なくともその一部が、前記他方の干渉仮定に対して差分符号化される、請求項３または請求項４に記載のデータ受信装置。
【請求項６】
前記チャネル状態情報メッセージが、前記第１のチャネル品質および前記第２のチャネル品質をシグナリングするときに、前記第３のチャネル品質をシグナリングするときよりも大きい長さを有し、
第１の品質と第２の品質と第３の品質が同じ長さを有し、
前記プリコーディング行列インジケータが、マルチレイヤ送信のプリコーディング行列を示すときと、シングルレイヤ送信のプリコーディング行列を示すときとで同じ長さを有し、前記ランクインジケータと前記仮定インジケータが同じ長さを有する、
請求項１に記載のデータ受信装置。
【請求項７】
前記チャネル状態情報メッセージが、シングルレイヤ送信の場合とマルチレイヤ送信の場合とで同じサイズを有する、請求項４に記載のデータ受信装置。
【請求項８】
前記チャネル状態情報メッセージが、前記第１の干渉仮定に関連するプリコーディング行列を示す第１の仮定のプリコーディング行列インジケータと、前記第２の干渉仮定に関連するプリコーディング行列を示す第２の仮定のプリコーディング行列インジケータと、を含み、
前記第２のチャネル品質のインジケータのサイズが前記第１のチャネル品質のインジケータのサイズより小さく、
前記チャネル状態情報メッセージのサイズが、前記第１のチャネル品質および第２のチャネル品質がシグナリングされるときと、前記第３のチャネル品質がシグナリングされるときとで等しい、
請求項１から請求項７のいずれかに記載のデータ受信装置。
【請求項９】
前記第１の仮定のプリコーディング行列インジケータおよび前記第２の仮定のプリコーディング行列インジケータのそれぞれが、２つの成分からなり、前記２つの成分が、互いの組合せによって、送信に適用するべきプリコーディングを指定し、
前記チャネル状態情報メッセージが、前記第１の仮定のプリコーディング行列インジケータおよび前記第２の仮定のプリコーディング行列インジケータに共通である１つの共通の第１の成分と、前記第１の仮定のプリコーディング行列インジケータおよび前記第２の仮定のプリコーディング行列インジケータのそれぞれの個別の第２の成分と、を含む、
請求項８に記載のデータ受信装置。
【請求項１０】
前記第１のチャネル品質および前記第２のチャネル品質のそれぞれが、広帯域チャネル品質インジケータと、前記広帯域チャネル品質インジケータに対して差分符号化されたＮ個のサブバンドチャネル品質インジケータとからなり、Ｎが正の整数であり、
前記第１のサブバンドチャネル品質インジケータと前記第２のサブバンドチャネル品質インジケータとが同じ長さを有し、
前記第１の広帯域チャネル品質インジケータと前記第２の広帯域チャネル品質インジケータが、０でない異なる長さを有し、前記２つの広帯域チャネル品質インジケータの一方が、他方に対して差分符号化される、または、
前記第１の広帯域チャネル品質と前記第２の広帯域チャネル品質とを等しいものと想定し、前記第１の広帯域インジケータおよび前記第２の広帯域インジケータの代わりに、共通の広帯域チャネル品質インジケータが送信される、
請求項６、請求項８、または請求項９に記載のデータ受信装置。
【請求項１１】
前記チャネル状態情報メッセージが、ランクインジケータフィールドを含み、
前記ランクインジケータフィールドの第１の値が、前記チャネル状態情報メッセージが１つの空間レイヤのプリコーディング行列インジケータと前記第１のチャネル品質のみとをさらに含む、ことを示し、
前記ランクインジケータフィールドの第２の値が、前記チャネル状態情報メッセージが１つの空間レイヤのプリコーディング行列インジケータと前記第１のチャネル品質と前記第２のチャネル品質とをさらに含む、ことを示し、
前記ランクインジケータフィールドの第３の値が、前記チャネル状態情報メッセージが複数の空間レイヤのプリコーディング行列インジケータと前記第１のチャネル品質と前記第２のチャネル品質とをさらに含む、ことを示す、
請求項１または請求項２に記載のデータ受信装置。
【請求項１２】
前記第１のチャネル品質および前記第２のチャネル品質のうちの一方が、他方よりも大きいサイズを有し、
前記第１の品質のサイズと前記第２の品質のサイズの正の差に対応する数のビットが、前記小さい方のサイズのチャネル品質が提供される対象の干渉仮定を示す干渉仮定インジケータとして使用される、
請求項１から請求項１１のいずれかに記載のデータ受信装置。
【請求項１３】
前記チャネル状態情報メッセージの解釈を、
−  半静的な上位層シグナリング、
−  前記装置に送信されるチャネル状態情報メッセージ要求を送信するための要求の中での動的なシグナリング、または、
−  前記チャネル状態情報メッセージの中の報告タイプインジケータにおける動的なシグナリング、
のうちの少なくとも１つに基づいて、前記第１のチャネル品質および前記第２のチャネル品質を送信するメッセージ、または、第３のチャネル品質を送信するメッセージ、のいずれかに設定する、報告タイプ設定ユニット、
をさらに備えている、請求項１から請求項１２のいずれかに記載のデータ受信装置。
【請求項１４】
データを送信するデータ送信装置であって、
データ受信装置から受信されるチャネル状態情報メッセージの中で第１のチャネル品質および第２のチャネル品質を受信する受信ユニットであって、前記第１のチャネル品質が、前記データ受信装置が受ける干渉に関する想定である複数の干渉仮定の第１の干渉仮定に従って求められており、前記第２のチャネル品質が、前記複数の干渉仮定の別の第２の干渉仮定に従って求められている、前記受信ユニットと、
前記第１のチャネル品質および前記第２のチャネル品質に基づいてリンク設定を決定するリンクアダプテーションユニットと、
前記決定されたリンクパラメータに従ってデータを前記データ受信装置に送信する送信ユニットと、
を備え、
前記チャネル状態情報メッセージが、
−  前記第１のチャネル品質および前記第２のチャネル品質、
−  または、前記データ送信装置からの基準信号に従って求められる、複数の空間レイヤの第３のチャネル品質、
のいずれかを含み、
前記チャネル状態情報メッセージが、次のフォーマット、すなわち、
−  前記第３のチャネル品質をシグナリングするときには、ランクインジケータが、複数のアンテナによって送信されるレイヤの数を示し、前記第３のチャネル品質が、前記ランクインジケータによって示される前記レイヤの数に従う複数のコードワードのチャネル品質を含み、プリコーディング行列インジケータが、マルチレイヤ送信のプリコーディング行列を示し、
−  前記第１のチャネル品質および前記第２のチャネル品質をシグナリングするときには、仮定インジケータが、チャネル品質がシグナリングされる対象の仮定を示し、前記第１のチャネル品質もしくは前記第２のチャネル品質またはその両方が、前記仮定インジケータによる仮定に関連し、プリコーディング行列インジケータが、シングルレイヤ送信のプリコーディング行列を示す、
フォーマット、を有する、
データ送信装置。
【請求項１５】
データ受信装置において実行される、ネットワークノードからデータを受信するデータ受信方法であって、
前記ネットワークノードから基準信号を受信するステップと、
受信ユニットによって受信されて前記データ受信装置が受ける干渉に関する想定である複数の干渉仮定の第１の干渉仮定に従って処理された前記基準信号、に従って第１のチャネル品質を求め、前記受信ユニットによって受信されて前記複数の干渉仮定の別の第２の干渉仮定に従って処理された前記基準信号、に従って第２のチャネル品質を求める、判定ステップと、
前記第１のチャネル品質および前記第２のチャネル品質をチャネル品質メッセージの中で前記ネットワークノードに送信するステップと、
を含み、
前記判定ステップが、複数の空間レイヤの第３のチャネル品質を前記基準信号に従って求めるようにさらに構成されており、
前記データ受信方法が、
−  前記第１のチャネル品質および前記第２のチャネル品質、
−  または、前記第３のチャネル品質、
のいずれかを含むチャネル状態情報メッセージ、を生成する生成ステップ、
をさらに含み、
前記チャネル状態情報メッセージが、次のフォーマット、すなわち、
−  前記第３のチャネル品質をシグナリングするときには、ランクインジケータが、複数のアンテナによって送信されるレイヤの数を示し、前記第３のチャネル品質が、前記ランクインジケータによって示される前記レイヤの数に従う複数のコードワードのチャネル品質を含み、プリコーディング行列インジケータが、マルチレイヤ送信のプリコーディング行列を示し、
−  前記第１のチャネル品質および前記第２のチャネル品質をシグナリングするときには、仮定インジケータが、チャネル品質がシグナリングされる対象の仮定を示し、前記第１のチャネル品質もしくは前記第２のチャネル品質またはその両方が、前記仮定インジケータによる仮定に関連し、プリコーディング行列インジケータが、シングルレイヤ送信のプリコーディング行列を示す、
フォーマット、を有する、
データ受信方法。
【請求項１６】
ネットワークノードにおいて実行される、データを送信するデータ送信方法であって、
データ受信装置から受信されるチャネル状態情報メッセージの中で第１のチャネル品質および第２のチャネル品質を受信するステップであって、前記第１のチャネル品質が、前記データ受信装置が受ける干渉に関する想定である複数の干渉仮定の第１の干渉仮定に従って求められており、前記第２のチャネル品質が、前記複数の干渉仮定の別の第２の干渉仮定に従って求められている、ステップと、
前記第１のチャネル品質および前記第２のチャネル品質に基づいてリンク設定を決定するステップと、
前記決定されたリンクパラメータに従ってデータを前記データ受信装置に送信するステップと、
を含み、
前記チャネル状態情報メッセージが、
−  前記第１のチャネル品質および前記第２のチャネル品質、
−  または、前記ネットワークノードからの基準信号に従って求められる、複数の空間レイヤの第３のチャネル品質、
のいずれかを含み、
前記チャネル状態情報メッセージが、次のフォーマット、すなわち、
−  前記第３のチャネル品質をシグナリングするときには、ランクインジケータが、複数のアンテナによって送信されるレイヤの数を示し、前記第３のチャネル品質が、前記ランクインジケータによって示される前記レイヤの数に従う複数のコードワードのチャネル品質を含み、プリコーディング行列インジケータが、マルチレイヤ送信のプリコーディング行列を示し、
−  前記第１のチャネル品質および前記第２のチャネル品質をシグナリングするときには、仮定インジケータが、チャネル品質がシグナリングされる対象の仮定を示し、前記第１のチャネル品質もしくは前記第２のチャネル品質またはその両方が、前記仮定インジケータによる仮定に関連し、プリコーディング行列インジケータが、シングルレイヤ送信のプリコーディング行列を示す、
フォーマット、を有する、
データ送信方法。
【発明の詳細な説明】
【技術分野】
【０００１】
本発明は、セルラー通信システムにおいてチャネル状態情報を送信することに関する。
【背景技術】
【０００２】
例えば３ＧＰＰ（第３世代パートナーシッププロジェクト）において標準化されたＵＭＴＳ（Universal Mobile Telecommunication System：ユニバーサル移動体通信システム）などの第３世代（３Ｇ）の移動セルラーシステムは、ＷＣＤＭＡ（Wideband Code Division Multiple Access：広帯域符号分割多元接続）（登録商標）無線アクセス技術に基づいている。今日、３Ｇシステムは世界中に広範な規模で配備されつつある。ＨＳＤＰＡ（High-Speed Downlink Packet Access：高速ダウンリンクパケットアクセス）および強化されたアップリンク（ＨＳＵＰＡ（High-Speed Uplink Packet Access）とも呼ばれる）を導入することによってこの技術が拡張された後、ＵＭＴＳ標準の発展における次の主要な段階では、ダウンリンクでのＯＦＤＭ（Orthogonal Frequency Division Multiplexing：直交周波数分割多重）と、アップリンクでのＳＣ−ＦＤＭＡ（Single Carrier Frequency Division Multiplexing Access：シングルキャリア周波数分割多元接続）との組合せが取り入れられた。このシステムは、将来の技術発展に対応していくことを意図しているため、ＬＴＥ（Long Term Evolution）と名付けられている。
【０００３】
ＬＴＥシステムは、少ない待ち時間かつ低コストのＩＰベースの完全な機能性を提供するパケットベースの効率的な無線アクセスおよび無線アクセスネットワークに相当する。物理データチャネル送信の場合、ダウンリンクではデータ変調方式ＱＰＳＫ、１６ＱＡＭ、および６４ＱＡＭがサポートされ、アップリンクではＱＰＳＫ、１６ＱＡＭ、および少なくともいくつかのデバイスに対しては６４ＱＡＭもサポートされる。「ダウンリンク」という用語は、ネットワークから端末への方向を示す。「アップリンク」という用語は、端末からネットワークへの方向を示す。
【０００４】
ＬＴＥのネットワークアクセスは、５ＭＨｚにチャネルが固定されたＵＴＲＡ（UMTS Terrestrial Radio Access：ＵＭＴＳ地上無線アクセス）とは対照的に、１.４〜２０ＭＨｚの間で定義されるいくつかのチャネル帯域幅を使用し、柔軟性が極めて高い。スペクトル効率はＵＴＲＡと比べて最大４倍に向上し、アーキテクチャおよびシグナリングの改善により往復待ち時間が短縮される。ＭＩＭＯ（多入力多出力）のアンテナ技術により、３ＧＰＰの当初のＷＣＤＭＡ（登録商標）無線アクセス技術と比較してセルあたり１０倍のユーザに対応できるようになる。可能な限り多くの周波数帯割当ての配置に適合するように、ペアになった帯域動作（ＦＤＤ：Frequency Division Duplex：周波数分割複信）およびペアをなさない帯域動作（ＴＤＤ：Time Division Duplex：時分割複信）の両方がサポートされる。ＬＴＥは、隣接するチャネル内でも以前の３ＧＰＰ無線技術と共存することができ、すべての３ＧＰＰの以前の無線アクセス技術との間で呼を受け渡しすることができる。
【０００５】
図１は、ネットワークエンティティおよびネットワークエンティティ間のインタフェースを含むＬＴＥネットワークアーキテクチャを例示している。図１から理解できるように、ＬＴＥアーキテクチャでは、ＵＴＲＡＮやＧＥＲＡＮ（ＧＳＭ（登録商標）  ＥＤＧＥ無線アクセスネットワーク）などのさまざまな無線アクセスネットワーク（ＲＡＮ）の相互接続がサポートされ、これらはサービングＧＰＲＳサポートノード（ＳＧＳＮ）を介してＥＰＣに接続される。３ＧＰＰ移動通信ネットワークでは、移動端末１１０（ユーザ機器、ＵＥ、またはデバイスとも呼ばれる）は、ＵＴＲＡＮ内のＮｏｄｅ  Ｂ（ＮＢ）およびＥ−ＵＴＲＡＮアクセス内の進化型Ｎｏｄｅ  Ｂ（ｅＮＢ）を介してアクセスネットワークにアタッチされる。エンティティＮＢおよびｅＮＢ  １２０は、他の移動通信ネットワークでは基地局として知られている。ＵＥのモビリティをサポートするために、２基のデータパケットゲートウェイ（サービングゲートウェイ（ＳＧＷ）１３０およびパケットデータネットワークゲートウェイ１６０（ＰＤＮ−ＧＷまたは簡潔にＰＧＷ））がＥＰＳに置かれている。Ｅ−ＵＴＲＡＮアクセスを想定すると、エンティティｅＮＢ  １２０は、Ｓ１−Ｕインタフェース（「Ｕ」は「ユーザプレーン」を表す）を介して１つまたは複数のＳＧＷに有線回線を通じて接続され、また、Ｓ１−ＭＭＭＥインタフェースを介してモビリティ管理エンティティ１４０（ＭＭＥ）に有線回線を通じて接続される。ＳＧＳＮ  １５０およびＭＭＥ  １４０は、サービングコアネットワーク（ＣＮ）ノードとも呼ばれる。
【０００６】
上に示したように、Ｅ−ＵＴＲＡＮは、ｅＮｏｄｅＢから構成され、ユーザ機器（ＵＥ）に向けてＥ−ＵＴＲＡユーザプレーン（ＰＤＣＰ／ＲＬＣ／ＭＡＣ／ＰＨＹ）および制御プレーン（ＲＲＣ）のプロトコル終端を提供する。ｅＮｏｄｅＢ（ｅＮＢ）は、物理層（ＰＨＹ）、媒体アクセス制御層（ＭＡＣ）、無線リンク制御層（ＲＬＣ）、および、パケットデータ制御プロトコル層（ＰＤＣＰ）をホストし、これらはユーザプレーンヘッダ圧縮および暗号化機能を含む。さらに、ｅＮｏｄｅＢ（ｅＮＢ）は、制御プレーンに対応する無線リソース制御（ＲＲＣ）機能を提供する。ｅＮｏｄｅＢ（ｅＮＢ）は、無線リソース管理、アドミッション制御、スケジューリング、ネゴシエーションされるアップリンクサービス品質（ＱｏＳ）の実施、セル情報ブロードキャスト、ユーザプレーンおよび制御プレーンデータの暗号化／解読、ダウンリンク／アップリンクユーザプレーンパケットヘッダの圧縮／解凍などの多くの機能を実行する。ｅＮＢは、Ｘ２インタフェースによって互いに相互接続される。
【０００７】
図２は、ＬＴＥリリース８およびそれ以降のリリースのコンポーネントキャリアの構造を示している。３ＧＰＰ ＬＴＥリリース８のダウンリンクのコンポーネントキャリアは、時間−周波数領域においていわゆるサブフレームに分割され、各サブフレームは２つのダウンリンクスロットに分割され、そのうちの１つのダウンリンクスロットが、図２において１期間Ｔｓｌｏｔに相当するものとして示されている。最初のダウンリンクスロットは、先頭の（１つまたは複数の）ＯＦＤＭシンボルの中に制御チャネル領域を備える。各サブフレームは、時間領域における特定の数のＯＦＤＭシンボルからなり、各ＯＦＤＭシンボルはコンポーネントキャリアの帯域幅全体にわたる。
【０００８】
具体的には、スケジューラによって割り当てることができる最小単位のリソースはリソースブロックであり、これは物理リソースブロック（ＰＲＢ：Physical Resource Block）とも呼ばれる。物理リソースブロック（ＰＲＢ）は、時間領域のＮＤＬｓｙｍｂ個の連続したＯＦＤＭシンボルおよび周波数領域のＮＲＢＳＣ個の連続したサブキャリアとして定義される。実際には、ダウンリンクリソースはリソースブロックペアとして割り当てられる。リソースブロックペアは、２つのリソースブロックからなる。１リソースブロックペアは、周波数領域のＮＲＢＳＣ個の連続したサブキャリアと、時間領域のサブフレームの２・ＮＤＬｓｙｍｂ個の全変調シンボルを範囲とする。ＮＤＬｓｙｍｂは６または７であり、結果としてＯＦＤＭシンボルの総数は１２個または１４個である。したがって、物理リソースブロックは、時間領域の１スロットおよび周波数領域の１８０ｋＨｚに相当するＮＤＬｓｙｍｂ×ＮＲＢＳＣ個のリソースエレメントからなる（ダウンリンクのリソースグリッドに関するさらなる詳細は、例えば非特許文献１（３ＧＰＰのウェブサイトにおいて自由に入手可能であり、参照によって本明細書に組み込まれており、以下では非特許文献１と称する）の６.２節に記載されている）。リソースブロックまたはリソースブロックペアがスケジューリングされているにも関わらずその中のいくつかのリソースエレメントが使用されないことも起こりうるが、使用される術語表現を簡潔にするために、リソースブロックまたはリソースブロックペア全体が割り当てられるとする。スケジューラによって実際に割り当てられないリソースエレメントの例として、基準信号、ブロードキャスト信号、同期信号、さまざまな制御信号やチャネル送信に使用されるリソースエレメントが挙げられる。
【０００９】
ダウンリンクの物理リソースブロックの数ＮＤＬＲＢは、セル内で設定されたダウンリンク送信の帯域幅に応じて決まり、現在ＬＴＥでは６〜１１０個の（物理）リソースブロックであるものと定義されている。ＬＴＥでは、帯域幅をＨｚ単位（例えば１０ＭＨｚ）またはリソースブロック単位で表すのが慣習的であり、例えばダウンリンクの場合、セル帯域幅を例えば１０ＭＨｚまたはＮＤＬＲＢ＝５０ＲＢと表すことができ、両者は等価である。
【００１０】
一般的に、リソースブロックは、データを送信するためにスケジューラによって割り当てることができる、移動体通信の無線インタフェースにおける最小のリソース単位を表すものと想定することができる。リソースブロックの次元は、移動通信システムで用いられるアクセス方式に応じて、時間（例えば、時間分割多重方式（ＴＤＭ）の場合のタイムスロット、サブフレーム、フレームなど）、周波数（例えば、周波数分割多重方式（ＦＤＭ）の場合のサブバンド、キャリア周波数など）、符号（例えば、符号分割多重方式（ＣＤＭ）の場合の拡散符号）、アンテナ（例えば、多入力多出力（ＭＩＭＯ））などの任意の組合せとすることができる。
【００１１】
３ＧＰＰ  ＬＴＥリリース８では、ダウンリンク制御シグナリングは、基本的に次の３つの物理チャネルによって伝えられる。
−  １つのサブフレーム中の制御シグナリングに用いられるＯＦＤＭシンボルの数（すなわち制御チャネル領域の大きさ）を示す物理制御フォーマットインジケータチャネル（ＰＣＦＩＣＨ）
−  アップリンクデータ送信に関連するダウンリンクＡＣＫ／ＮＡＣＫを伝える物理ハイブリッドＡＲＱインジケータチャネル（ＰＨＩＣＨ）
−  ダウンリンクスケジューリング割当ておよびアップリンクスケジューリング割当てを伝える物理ダウンリンク制御チャネル（ＰＤＣＣＨ）
【００１２】
ＰＣＦＩＣＨは、事前に定義される既知の変調・符号化方式を用いて、ダウンリンクサブフレームの制御シグナリング領域内の既知の場所から送信される。ユーザ機器は、サブフレームの中の制御シグナリング領域の大きさについての情報（例えばＯＦＤＭシンボルの数）を得るため、ＰＣＦＩＣＨを復号する。ユーザ機器（ＵＥ）がＰＣＦＩＣＨを復号できない、または誤ったＰＣＦＩＣＨ値を得た場合、制御シグナリング領域に含まれるＬ１／Ｌ２制御シグナリング（ＰＤＣＣＨ）を正しく復号することができず、結果として、サブフレームに含まれるすべてのリソース割当てが失われうる。
【００１３】
ＰＤＣＣＨは、ダウンリンク制御情報（例えば、ダウンリンクデータまたはアップリンクデータを送信するためのリソースを割り当てるスケジューリンググラントなど）を伝える。ユーザ機器へのＰＤＣＣＨは、サブフレーム内のＰＣＦＩＣＨに従って、最初の１個、２個、または３個のＯＦＤＭシンボルで送信される。
【００１４】
物理ダウンリンク共有チャネル（ＰＤＳＣＨ）は、ユーザデータを伝えるために使用される。ＰＤＳＣＨは、１つのサブフレーム内のＰＤＣＣＨに続く残りのＯＦＤＭシンボルにマッピングされる。１基のＵＥに割り当てられるＰＤＳＣＨリソースは、各サブフレームのリソースブロックを単位とする。
【００１５】
物理アップリンク共有チャネル（ＰＵＳＣＨ）は、ユーザデータを伝える。物理アップリンク制御チャネル（ＰＵＣＣＨ）は、スケジューリング要求、ＰＤＳＣＨ上のデータパケットに応えてのＨＡＲＱ肯定応答（ＡＣＫ）および否定応答（ＮＡＣＫ）、チャネル状態情報（ＣＳＩ）など、アップリンク方向のシグナリングを伝える。
【００１６】
通信ネットワークを通じて送信されるユーザデータ（ＩＰパケット）は、ユーザアプリケーションによって生成される。ユーザデータは、音声、ビデオ、テキスト、または任意の他のメディアを含むことができ、これらはＩＰパケットを形成する前に場合によっては別のプロトコルに圧縮およびカプセル化される。ＥＵＴＲＡＮでは、ＩＰパケットは、ＰＤＣＰ層においてさらに処理されてＰＤＣＰヘッダが追加される。このように形成されたＰＤＣＰパケットは、さらにセグメント化および／または再構築されて（図では再構築が示されている）ＲＬＣパケットが形成され、ＲＬＣヘッダが追加される。次いで、１つまたは複数のＲＬＣパケットがＭＡＣパケットにカプセル化され、ＭＡＣパケットもＭＡＣヘッダおよびパディング（必要な場合）を含む。ＭＡＣパケットは「トランスポートブロック」とも呼ばれる。したがってトランスポートブロックは、物理層の観点から見ると、物理層に入るユーザデータのパケットである。ＬＴＥで使用できるトランスポートブロックサイズ（ＴＢＳ）は、予め定義される。次いでトランスポートブロックは、１送信時間間隔（ＴＴＩ）内で物理層（ＰＨＹ）上のサブフレームにマッピングされる。トランスポートブロックから始まってインタリービングまでのデータマッピングの詳細に関しては、ユーザデータのアップリンク送信およびダウンリンク送信それぞれについて、非特許文献２（３ＧＰＰのウェブサイトにおいて自由に入手可能であり、参照によって本明細書に組み込まれており、以下では非特許文献２と称する）の図５.２.２−１および図５.３.２−１と、それらの関連する説明に記載されている。さらに、物理チャネルマッピングに関しては、ダウンリンクおよびアップリンクそれぞれについて、非特許文献１の図６.３−１および図５.３−１と、それらの関連する説明に詳細に記載されている。
【００１７】
リンクアダプテーションの原理は、パケット交換データトラフィックのための効率的な無線インタフェースを設計するうえで重要である。初期のＵＭＴＳ（ユニバーサル移動体通信システム）では、高速閉ループ電力制御を使用することで、データレートがほぼ一定である回線交換サービスをサポートしていたが、ＬＴＥのリンクアダプテーションでは、各ユーザの通常の無線チャネル容量を一致させるため、送信データレート（変調方式およびチャネル符号化率）を動的に調整する。
【００１８】
ＬＴＥのダウンリンクデータ送信においては、ｅＮｏｄｅＢは、一般には、ダウンリンクチャネル状態の予測に応じて変調方式および符号化率（ＭＣＳ）を選択する。この選択プロセスへの重要な入力は、ユーザ機器（ＵＥ）によってアップリンクでｅＮｏｄｅＢに送信されるチャネル状態情報（ＣＳＩ）フィードバック（上記に記載）である。
【００１９】
チャネル状態情報（ＣＳＩ）は、マルチユーザ通信システム（例えば３ＧＰＰ  ＬＴＥなど）において、１人または複数のユーザにおけるチャネルリソースの品質を判断する目的で使用される。一般的には、ｅＮｏｄｅＢは、ＣＳＩフィードバックに応えて、ＱＰＳＫ方式、１６ＱＡＭ方式、および６４ＱＡＭ方式と、広範な符号化率の中で選択することができる。このＣＳＩ情報は、マルチユーザスケジューリングアルゴリズムにおいて、チャネルリソースを複数の異なるユーザに割り当てることを支援する目的で、あるいは、割り当てられたチャネルリソースを最大限に利用できるように、変調方式、符号化率、または送信電力などのリンクパラメータを適合させる目的で、使用することができる。サービングｅＮＢは、ＰＤＳＣＨ送信の適切な送信パラメータを選択する目的で、ユーザ機器からのチャネル状態情報（ＣＳＩ）の報告に頼る。チャネル状態情報（ＣＳＩ）は、ＬＴＥにおいては以下からなる。
−  ランクインジケータ（ＲＩ）
−  プリコーディング行列インジケータ（ＰＭＩ）
−  チャネル品質インジケータ（ＣＱＩ）
【００２０】
チャネル品質インジケータ（ＣＱＩ）は、ＭＣＳの選択に関連してリンクアダプテーションアルゴリズムへの入力として使用される。チャネル状態情報（ＣＳＩ）メッセージの正確なフォーマットは、報告モードに依存する。ＣＱＩは、個別に符号化される広帯域ＣＱＩと、広帯域ＣＱＩに対して差分符号化される（differentially coded）１つまたは複数のサブバンドＣＱＩとを含むことができる。報告モードは、非特許文献３（３ＧＰＰのウェブサイトにおいて自由に入手可能である）に記載されているように、ＲＲＣシグナリングによって設定することができる。現在ＬＴＥによってサポートされている報告モードは、非特許文献４（３ＧＰＰのウェブサイトにおいて自由に入手可能である）の特に６.２節に定義されている（例えば情報要素「CQIreportConfig」）。
【００２１】
アップリンクリソースグラントおよびダウンリンクリソースグラント（それぞれアップリンクおよびダウンリンクでユーザ機器がデータを送信できるようにするグラント）は、ｅＮｏｄｅＢからＰＤＣＣＨを介してダウンリンク制御情報（ＤＣＩ）の中でユーザ機器に送信される。ダウンリンク制御情報（ＤＣＩ）は、必要とされるシグナリング情報に応じて、さまざまなフォーマットで送信することができる。一般的には、ダウンリンク制御情報（ＤＣＩ）は、リソースブロック割当て（ＲＢＡ）と変調・符号化方式（ＭＣＳ）を含むことができる。
【００２２】
ダウンリンク制御情報（ＤＣＩ）は、さらなる情報として、ＨＡＲＱ関連情報（冗長バージョン（ＲＶ）、ＨＡＲＱプロセス番号、新規データインジケータ（ＮＤＩ）など）、ＭＩＭＯ関連情報（プリコーディングなど）、電力制御関連情報などを含むことができる。
【００２３】
上述したように、スケジューリング対象のユーザに、その割当て状態、トランスポートフォーマット、およびその他のデータ関連情報（例：ＨＡＲＱ情報、送信電力制御（ＴＰＣ）コマンド）を知らせる目的で、第１層／第２層制御シグナリングがデータと一緒にダウンリンクで送信される。第１層／第２層制御シグナリングは、サブフレーム内でダウンリンクデータと一緒に多重化される（ユーザ割当てが基本的にサブフレーム単位で変化しうるものと想定する）。なお、ユーザ割当てをＴＴＩ（送信時間間隔）ベースで実行することもでき、その場合、ＴＴＩ長は、一般的にサブフレームの倍数とする、またはサブフレームに一致させることができる。ＴＴＩ長は、サービスエリアにおいてすべてのユーザに対して一定とする、またはユーザ毎に異なる、あるいはユーザ毎に動的とすることもできる。第１層／第２層制御シグナリングは、一般的にはＴＴＩあたり１回送信するのみでよい。一般性を失うことなく、以下では、ＴＴＩが１サブフレームに等しいものと想定する。
【００２４】
３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。一般的には、アップリンクまたはダウンリンクの無線リソースを割り当てるために第１層／第２層制御シグナリングで送られる情報は（特にＬＴＥ（−Ａ）リリース１０）、以下の項目に分類することができる。
−  ユーザ識別情報：  割り当てる対象のユーザを示す。この情報は、一般には、ＣＲＣをユーザ識別情報によってマスクすることによってチェックサムに含まれる。ユーザ（ユーザ機器）は、サーチスペース内で（すなわち、各端末が自身宛のデータがあるか制御情報を監視する必要のあるサーチスペースとして設定されているリソースにおいて）送信された識別情報をデマスキングすることによって、ブラインド復号を実行する。
−  リソース割当て情報：  ユーザに割り当てられるリソース（リソースブロック：ＲＢ）を示す。したがって、ユーザに割り当てられるリソースブロックの数は動的とすることができる。特に、リソースブロック（周波数領域）の数が、このリソース割当て情報によって伝えられる。時間領域（サブフレーム）における位置は、ＰＤＣＣＨが受信されるサブフレームと、所定の規則（リソースはＰＤＣＣＨサブフレームより特定の数のサブフレームだけ後に割り当てられる）とによって与えられる。
−  キャリアインジケータ：  第１のキャリアで送信される制御チャネルが、第２のキャリアに関係するリソース（すなわち第２のキャリアのリソース、またはキャリアアグリゲーションが適用される場合には第２のキャリアに関連するリソース）を割り当てる場合に使用される。
−  変調・符号化方式：  採用される変調方式および符号化率（符号化されるトランスポートブロックの長さ）を決める。
−  ＨＡＲＱ情報：  データパケットまたはその一部の再送信時に特に有用である、新規データインジケータ（ＮＤＩ）や冗長バージョン（ＲＶ）など。具体的には、新規データインジケータは、その割当てがデータの最初の送信用であるか、データの再送信用であるかを示す。冗長バージョンは、再送信されるデータに適用される符号化を示す（ＬＴＥでは増分的冗長性合成法（incremental redundancy combining）がサポートされ、すなわち、各再送信には、異なる方式で符号化された最初の送信データを含めることができ、すなわち、各再送信には、すでに受信された送信／再送信と合わせて最終的に復号を可能にするパリティビットを含めることができる）。
−  電力制御コマンド：  割り当てられたアップリンクのデータまたは制御情報を送信するときの送信電力を調整する。
−  基準信号情報：  割当てに関連する基準信号の送信または受信に使用される、適用されるサイクリックシフトや直交カバーコードインデックスなど。
−  アップリンクまたはダウンリンク割当てインデックス：  割当ての順序を識別するために使用され、ＴＤＤシステムにおいて特に有用である。
−  ホッピング情報：  例えば、周波数ダイバーシチを増大させるためにリソースホッピングを適用するかどうかと、適用方法を指示する。
−  ＣＳＩ要求：  割り当てられるリソースにおけるチャネル状態情報の送信をトリガーするために使用される。
−  マルチクラスタ情報：  シングルクラスタ（リソースブロックの連続的なセット）またはマルチクラスタ（連続的なリソースブロックの少なくとも２つの不連続なセット）で送信を行うかを指示して制御するために使用されるフラグである。マルチクラスタ割当ては、３ＧＰＰ  ＬＴＥ−（Ａ）リリース１０によって導入された。
【００２５】
なお、上記のリストは、これらに限定されるものではなく、また、使用されるＤＣＩフォーマットによっては、リストした情報項目すべてを各ＰＤＣＣＨ送信に含める必要はないことに留意されたい。
【００２６】
ダウンリンク制御情報（ＤＣＩ）は、全体のサイズと、フィールドに含まれる情報とが異なるいくつかのフォーマットの形をとる。ＬＴＥにおいて現在定義されている異なるＤＣＩフォーマットは、以下のとおりであり、非特許文献２の５.３.３.１節に詳しく記載されている（この文書は、３ＧＰＰのウェブサイトにおいて入手可能であり、参照によって本明細書に組み込まれている）。例えばＤＣＩフォーマット０は、アップリンク送信モード１または２においてシングルアンテナポート送信を使用するＰＵＳＣＨのためのリソースグラントを送信するのに使用される。
【００２７】
ユーザ機器がＰＤＣＣＨ送信を正常に受信したかを自身で識別できるようにする目的で、各ＰＤＣＣＨ（すなわちＤＣＩ）に付加される１６ビットのＣＲＣによって誤り検出が提供される。さらには、ユーザ機器が自身を対象とするＰＤＣＣＨを識別できることが必要である。このことは、理論的には、ＰＤＣＣＨペイロードに識別子を追加することによって達成できる。しかしながら、「ユーザ機器の識別情報」によってＣＲＣをスクランブルする方がより効率的であり、追加のオーバーヘッドが節約される。ＣＲＣの計算およびスクランブリングは、非特許文献２（この文書は参照によって本明細書に組み込まれている）の５.３.３.２節「CRC attachment」において３ＧＰＰによって詳細に定義されているように行うことができる。この節には、巡回冗長検査（ＣＲＣ）を通じてＤＣＩ送信に誤り検出を導入する方法が記載されている。簡潔に要約すると以下のようになる。ペイロード全体を使用して、ＣＲＣパリティビットを計算する。パリティビットを計算して付加する。ユーザ機器の送信アンテナの選択が設定されていない、または適用可能ではない場合、付加した後、ＣＲＣパリティビットを対応するＲＮＴＩによってスクランブルする。
【００２８】
したがって、ユーザ機器は、「ユーザ機器の識別情報」を適用することによってＣＲＣをデスクランブルし、ＣＲＣ誤りが検出されなければ、そのＰＤＣＣＨが自身を対象とする制御情報を伝えているものと判断する。ＣＲＣを識別情報によってスクランブルする上述したプロセスにおいては、「マスキング」および「デマスキング」という用語も使用される。ＤＣＩのＣＲＣをスクランブルする上述した「ユーザ機器の識別情報」は、ＳＩ−ＲＮＴＩ（システム情報無線ネットワーク一時識別子）とすることもでき、このＳＩ−ＲＮＴＩは、「ユーザ機器の識別情報」ではなく、送信される情報のタイプ（この場合にはシステム情報）に関連付けられる識別子である。ＳＩ−ＲＮＴＩは、通常では仕様において決定され、したがってすべてのユーザ機器においてあらかじめ既知である。
【００２９】
物理ダウンリンク制御チャネル（ＰＤＣＣＨ）は、例えば、ダウンリンクまたはアップリンクでデータを送信するためのリソースを割り当てるスケジューリンググラントを伝える。１つのサブフレームにおいて複数のＰＤＣＣＨを送信することができる。ユーザ機器へのＰＤＣＣＨは、サブフレームの中の最初のＮＰＤＣＣＨｓｙｍｂ個のＯＦＤＭシンボル（通常では１個、２個、または３個のＯＦＤＭシンボル（ＰＣＦＩＣＨによって示される）、例外的なケースでは２個、３個、または４個のＯＦＤＭシンボル（ＰＣＦＩＣＨによって示される））で送信され、ＯＦＤＭシンボルはシステム帯域幅全体にわたり延びている。システム帯域幅は、一般にはセルまたはコンポーネントキャリアの範囲に等しい。時間領域における最初のＮＰＤＣＣＨｓｙｍｂ個のＯＦＤＭシンボルと、周波数領域におけるＮＤＬＲＢ×ＮＲＢｓｃ本のサブキャリアとによって占有される領域は、ＰＤＣＣＨ領域または制御チャネル領域とも称される。周波数領域におけるＮＤＬＲＢ×ＮＲＢｓｃ本のサブキャリアにわたる、時間領域における残りのＮＰＤＳＣＨｓｙｍｂ＝２＊ＮＤＬｓｙｍｂ−ＮＰＤＣＣＨｓｙｍｂ個のＯＦＤＭシンボルは、ＰＤＳＣＨ領域または共有チャネル領域と称される（後述する）。
【００３０】
トランスポートチャネルのレベルにおいては、ＰＤＣＣＨを介して送信される情報は、第１層／第２層（Ｌ１／Ｌ２）制御シグナリングとも称される（第１層／第２層制御シグナリングの詳細については前述した説明を参照）。
【００３１】
干渉除去および干渉抑制のコンセプトの基礎をなす発想として、受信機において受信信号のうちの干渉分を除去または抑制できるならば、受信機における有効信号対干渉電力比を高めることができる。これを達成するためには、干渉のタイプおよび強さを認識することが有利である。
【００３２】
図３は、受信機における干渉除去の基本的なコンセプトを示している。送信機によって信号Ｓが生成され、チャネルを通じて送信される。送信中、信号Ｓに干渉Ｉおよび雑音Ｎが重畳される。結果として、乱れた信号が受信機に入力され、このため復調器においていくつかのビット誤りが発生しうる。受信品質、特に、復調および復号時に発生するビット誤り率を改善する目的で、干渉除去（図３には点線の長方形によって表してある）を適用することができる。具体的には、受信機において利用可能な干渉の推定Ｉ’を使用して信号Ｓ’を回復し、この信号Ｓ’を復調器の入力として使用することで、ビット誤り率が下がる。この例においては、回復は、受信信号Ｓ＋Ｎ＋Ｉから、推定された干渉信号Ｉ’を減じることによって達成される。干渉除去の性能は、干渉の推定Ｉ’の正確さに強く依存する。干渉の推定が極めて不正確でありＩとＩ’の差が大きい場合、復調器への入力の乱れが増大してビット誤り率が高まることさえある。
【００３３】
干渉Ｉは、いくつかの送信（干渉）パラメータの組合せによって求められる。干渉の推定Ｉ’の正確さは、受信機側において利用可能な干渉パラメータに関する情報量とともに高まる。
【００３４】
干渉の除去または抑制が成功することによって高まる信号対干渉・雑音比（ＳＩＮＲ）を、実際のスループット利得に変換するためには、ｅＮＢ側でデータを送信する前に変調・符号化方式（ＭＣＳ）を選択するときに、予測される信号対干渉・雑音比（ＳＩＮＲ）の利得を考慮しなければならない。信号対干渉・雑音比（ＳＩＮＲ）の予測は、通常では、ユーザ機器からのチャネル品質報告と、ｅＮＢにおけるＡＣＫ／ＮＡＣＫ統計情報の評価とを組み合わせることによって行われる。この方法は、非特許文献５（以下では「ＮＡＩＣＳ技術報告書」と称する）の範囲内ではＯＬＬＡ（外側ループリンクアダプテーション：outer-loop link adaptation）としても知られている。ＯＬＬＡは、ユーザ機器からのチャネル品質報告と送信エラー率の観察情報を入力として使用してＭＣＳを選択する制御ループである。ここで、観察される送信エラー率（ＡＣＫ／ＮＡＣＫ統計情報）は、ＭＣＳ選択の適切さの尺度（メトリック）として理解することができる。送信エラーの数が多すぎる場合、ＭＣＳの選択が攻撃的すぎる（too aggressive）ものと考えられ、送信エラーの数が極めて少ない場合、ＭＣＳの選択が控えめすぎるものと考えられる。図４は、リンクアダプテーションの概略図を示している。具体的には、リンクアダプテーションユニットは、（肯定または否定）応答の統計情報と、端末から受信されるチャネル品質情報（ＣＱＩ）とを評価することによって、リンクアダプテーションアルゴリズムを適用する。
【００３５】
図５は、１つの主たる干渉セルから干渉を受ける一般的なシナリオを示している。ユーザ機器５０１，５０２，５０３，５０４は、ｅＮＢ  Ａによってサーブされており、ｅＮＢ  Ｂから干渉を受ける。ユーザ機器５０１およびユーザ機器５０２は、干渉源（ｅＮＢ  Ｂ）から離れているためｅＮＢ  Ｂから弱い干渉を受けるが、ユーザ機器５０３およびユーザ機器５０４は、ｅＮＢ  Ｂから強い干渉を受ける。点線の円５００は、ｅＮＢ  Ａによってサーブされている端末においてｅＮＢ  Ｂからの干渉が強いエリアを示している。エリア５００の中に位置する端末の受信品質を改善する目的には、干渉の除去、したがって干渉の推定の正確さが極めて重要である。
【００３６】
最近、３ＧＰＰでは、３ＧＰＰ  ＬＴＥシステムにおけるダウンリンクを対象とするネットワーク支援型の干渉の除去および抑制（ＮＡＩＣＳ：network assisted interference cancellation and suppression）に関する検討項目が開始された。詳細は、上に引用したＮＡＩＣＳ技術報告書に記載されている。この報告書に基づき、次の作業項目では、非特許文献６（以下では「ＮＡＩＣＳ作業項目」と称する）から理解できるように、ネットワーク支援型の干渉除去を標準規格に含めることを策定することになっている。
【００３７】
ＬＴＥシステムにおけるパラメータのうち干渉に影響するパラメータとしては以下が挙げられる。
−  （例えば図５のｅＮＢ  Ｂによる）干渉を及ぼす送信のリソースグリッド内の基準信号（パイロット）の位置
−  実際の干渉チャネル（干渉元の送信機側におけるプリコーディングなど）
−  割り当てられるリソースの情報として、干渉源のリソース割当て（物理リソースブロック（ＰＲＢ）、制御フォーマットインジケータ（ＣＦＩ）など）
−  干渉を及ぼす送信の空間送信レイヤの数
−  干渉を及ぼす送信の変調次数
−  干渉を及ぼす送信のチャネル符号化パラメータ（符号化率、冗長バージョンなど）
【００３８】
必要な干渉情報の量は、受信機のタイプに依存する。３ＧＰＰにおいて調査された受信機のタイプは、和信号の空間フィルタリングによって干渉を抑制するタイプから、干渉源によって送信されるコードワードの完全な復号を実行するタイプにわたる。
【００３９】
受信信号の空間フィルタリングによってのみ干渉抑制を実行する受信機（例えばＮＡＩＣＳ技術報告書の７.２節におけるE-LMMSE-IRC）では、空間レイヤごとの実際の干渉チャネルに関する情報（干渉元の送信機側におけるプリコーディングなど）のみが必要であり、変調・符号化方式や冗長バージョンなどに関する情報は必要ない。
【００４０】
これに対して、シンボルレベル（ＳＬ−ＩＣ：  ＮＡＩＣＳ技術報告書の７.４節を参照）またはコードワードレベル（ＣＷ−ＩＣ：  ＮＡＩＣＳ技術報告書の７.４節を参照）のいずれかで干渉除去を実行する受信機では、大幅に多くの干渉情報量が要求される。特に、受信機側では、図４に示したような効果的な干渉除去を実行するためには、どの変調シンボルが送信されたかを認識していなければならない。ＮＡＩＣＳの範囲内で３ＧＰＰ  ＲＡＮ１において検討された受信機のタイプに関する詳しい説明は、上に引用したＮＡＩＣＳ技術報告書に提供されている。したがって、ＬＴＥシステムにおいて干渉パラメータを取得する目的には以下の複数の異なる方法を考慮することができる。
−  ブラインド検出：  受信機の中で仮説検証によって干渉パラメータを推定する。この方法は、ネットワークによる支援を必要としないが、受信機側における計算の複雑さが増大する。
−  干渉ｅＮＢからの制御信号（ＤＣＩ、基準信号など）のオーバーヒア：  干渉セル自体からの既存の制御信号をリスンすることによって受信機において干渉パラメータを求める。
−  干渉ｅＮＢからの第１層（Ｌ１）シグナリング：  この方法では、干渉情報を提供するための新規の第１層（物理層）シグナリングを導入する。この制御情報は、干渉ｅＮＢによって送信される。
−  サービングｅＮＢからの上位層シグナリング：  サービングｅＮＢが、干渉被害を受けるユーザ機器に、ＭＡＣ層またはそれより上位の層におけるダウンリンク制御メッセージによって干渉情報を提供する。
−  サービングｅＮＢからの第１層シグナリング：  サービングｅＮＢが、干渉被害を受けるユーザ機器に、物理層におけるダウンリンク制御シグナリングによって干渉情報を提供する。
【００４１】
ネットワーク支援型の干渉処理（除去または抑制）によって、信号対干渉・雑音比（ＳＩＮＲ）の観点において、より高い受信品質を達成することが可能となる。ユーザ機器などの受信装置は、自身の受信品質をネットワークに報告し、したがってネットワークは、報告に応じてリソースを割り当てることができる。受信品質は、干渉除去が実行されたか否かと、干渉除去を実行したときに基づいた干渉仮定（interference hypothesis）とに依存する。特に、上述したように、干渉パラメータは、干渉ノードのさまざまな送信特性を示すことができる。このような特性は、そのようなパラメータに基づく干渉の仮定（すなわち干渉の推定）を形成する。推定された干渉に従って干渉の除去および抑制を適用することによって、受信信号を処理する。ネットワークは、チャネル品質報告を受信する。リンクアダプテーションを高い信頼性で実行するためには、チャネル品質に関するフィードバックを効率的にシグナリングする必要がある。
【先行技術文献】
【非特許文献】
【００４２】
【非特許文献１】3GPP TS 36.211, “Evolved universal terrestrial radio access (E-UTRA); physical channels and modulations (Release 12)”, version 12.1.0, Mar. 2014
【非特許文献２】3GPP TS 36.212, v.12.0.0, “Evolved universal terrestrial radio access (E-UTRA); Multiplexing and channel coding”, 2013
【非特許文献３】3GPP TS 36.331, v.12.1.0, 2014, “Radio Resource Control: Protocol specification”
【非特許文献４】3GPP TS 36.213,v.12.1.0, 2014, “Physical Layer Procedures”
【非特許文献５】3GPP TR 36.866 v12.0.0, March 2014, “Study on Network-Assisted Interference Cancellation and Suppression (NAIC) for LTE”
【非特許文献６】RP-140519, “New work item proposal for network assistance interference cancellation and suppression for LTE”, 3GPP RAN#63, March 2014
【発明の概要】
【発明が解決しようとする課題】
【００４３】
本発明の目的は、ネットワーク支援型の干渉の除去または抑制にも適する、フィードバック情報の効率的なシグナリングを提供することである。
【課題を解決するための手段】
【００４４】
この目的は、独立請求項に記載されている特徴によって達成される。
【００４５】
本発明の好ましい実施形態は、従属請求項の主題である。
【００４６】
本発明の具体的な方法は、２つ以上の異なる干渉仮定に基づいて求められたそれぞれのチャネル品質情報を含む少なくとも２つのフィードバックを、１つのメッセージの中で提供することである。
【００４７】
本発明の一態様によると、ネットワークノードからデータを受信する装置であって、ネットワークノードから基準信号を受信する受信ユニットと、受信ユニットによって受信されて第１の干渉仮定に従って処理された基準信号、に従って第１のチャネル品質を求め、受信ユニットによって受信されて別の第２の干渉仮定に従って処理された基準信号、に従って第２のチャネル品質を求める、チャネル状態判定ユニットと、第１のチャネル品質および第２のチャネル品質をチャネル品質メッセージの中でネットワークノードに送信する送信ユニットと、を備えている、装置、を提供する。
【００４８】
本発明の別の態様によると、データを送信する装置であって、データ受信装置から受信されるチャネル状態情報メッセージの中で第１のチャネル品質および第２のチャネル品質を受信する受信ユニットであって、第１のチャネル品質が第１の干渉仮定に従って求められており、第２のチャネル品質が別の第２の干渉仮定に従って求められている、受信ユニットと、第１のチャネル品質および第２のチャネル品質に基づいてリンク設定を決定するリンクアダプテーションユニットと、決定されたリンクパラメータに従ってデータをデータ受信装置に送信する送信ユニットと、を備えている、装置、を提供する。
【００４９】
さらには、ネットワークノードからデータを受信する方法であって、以下のステップ、すなわち、ネットワークノードから基準信号を受信するステップと、受信ユニットによって受信されて第１の干渉仮定に従って処理された基準信号、に従って第１のチャネル品質を求め、受信ユニットによって受信されて別の第２の干渉仮定に従って処理された基準信号、に従って第２のチャネル品質を求める、ステップと、第１のチャネル品質および第２のチャネル品質をチャネル品質メッセージの中でネットワークノードに送信するステップと、を含む、方法、を提供する。
【００５０】
さらには、ネットワークノードにおいて実行される、データを送信する方法であって、以下のステップ、すなわち、データ受信装置から受信されるチャネル状態情報メッセージの中で第１のチャネル品質および第２のチャネル品質を受信するステップであって、第１のチャネル品質が第１の干渉仮定に従って求められており、第２のチャネル品質が別の第２の干渉仮定に従って求められている、ステップと、第１のチャネル品質および第２のチャネル品質に基づいてリンク設定を決定するステップと、決定されたリンクパラメータに従ってデータをデータ受信装置に送信するステップと、を含む、方法、を提供する。
【００５１】
本発明の上記の目的、別の目的、および特徴は、添付の図面を参照しながら提示されている以下の説明および好ましい実施形態から、さらに明らかになるであろう。
【図面の簡単な説明】
【００５２】
【図１】デジタル放送システムにおける４つのサービスの物理層処理の例を示しているブロック図である。
【図２】時間−周波数領域におけるＯＦＤＭ変調リソースのグリッドの例を示した概略図である。
【図３】干渉の除去を図解したブロック図である。
【図４】図４Ａおよび図４Ｂは、チャネル状態情報あたり１つまたは複数のチャネル品質情報報告を使用するリンクアダプテーションを図解したブロック図である。
【図５】２基の基地局の近傍の端末におけるさまざまな干渉シナリオを図解した概略図である。
【図６】ＬＴＥのＰＵＳＣＨ報告フォーマット３−１におけるチャネル状態情報メッセージのフォーマットを示している概略図である。
【図７】ＮＡＩＣＳフィードバックを報告する目的にリリース１１のＣＳＩメッセージを再利用する例示的な方法を図解した概略図である。
【図８】図８Ａ、図８Ｂ、および図８Ｃは、２つのアンテナポートの場合のチャネル状態情報メッセージの中のＰＭＩの例示的なフォーマットを図解した概略図である。
【図９】図９Ａ、図９Ｂ、および図９Ｃは、本発明の一実施形態によるチャネル状態情報メッセージのフォーマットを図解した概略図である。
【図１０】本発明の一実施形態によるチャネル状態情報メッセージのフォーマットを図解した概略図である。
【図１１】本発明の一実施形態によるチャネル状態情報メッセージのフォーマットを図解した概略図である。
【図１２】本発明のいくつかの実施形態による装置を図解したブロック図である。
【図１３】本発明のいくつかの実施形態による方法を図解した流れ図である。
【図１４】フィードバック報告のタイプを設定するメカニズムを図解した概略図である。
【図１５】シングルレイヤ送信およびデュアルレイヤ送信におけるスペクトル効率を概略的に示しているグラフである。
【発明を実施するための形態】
【００５３】
本発明は、ネットワークの支援によるセル間干渉の除去および抑制をサポートすることに対処する。ユーザ機器側で干渉の除去および抑制を行うことによって、ＰＤＳＣＨの信号対干渉・雑音比（ＳＩＮＲ）が高くなるため、ダウンリンクのユーザスループットを大幅に高めることができる。変調・符号化方式（ＭＣＳ）の適切な選択を促進するため、信号対干渉・雑音比（ＳＩＮＲ）の利得をスループット利得に変換する目的で、サービングｅＮＢ側で、信号対干渉・雑音比（ＳＩＮＲ）の予期される利得を正確に予測しなければならない。信号対干渉・雑音比（ＳＩＮＲ）の予測は、通常では、ユーザ機器からのチャネル品質報告と、ＡＣＫ／ＮＡＣＫ統計情報の評価とを組み合わせることによって行われる。ｅＮＢにおいて適切なＭＣＳを選択するために信号対干渉・雑音比（ＳＩＮＲ）の正確な予測を促進する目的で、リンクアダプテーションアルゴリズムへの入力として利用可能な、複数の異なる干渉仮定に関連する複数のＣＱＩ報告を提供することが有利であると考えられる。
【００５４】
図４Ｂは、本発明の報告において対処するように、複数のＣＱＩ入力（ＣＱＩ０およびＣＱＩ１）を使用してＭＣＳを選択するリンクアダプテーションの概略図を示している。上述したように、ＬＴＥにおけるＣＳＩ報告は、一般的には、ＲＩ、ＰＭＩ、およびＣＱＩからなる。正確な組合せは、設定されている報告モードに依存する。ＣＱＩ報告ＣＱＩ０およびＣＱＩ１は、基準リソース（reference resource）に対するチャネル状態下で干渉除去によって達成可能な信号対干渉・雑音比（ＳＩＮＲ）レベルの上限および下限と解釈することができる。その場合、ＣＱＩ０およびＣＱＩ１は、干渉除去を実行する前と後の（それぞれＰｒｅ−ＩＣおよびＰｏｓｔ−ＩＣ）ＣＱＩレベルを表す。なお、これらの報告される両方のＣＱＩ値の組合せを利用するリンクアダプテーションアルゴリズムを実際に実装することに関しては、本発明の範囲に含まれない。
【００５５】
複数の異なる干渉仮定に関連する複数のＣＱＩ報告を、第１層（Ｌ１）シグナリングの形でユーザ機器からサービングｅＮＢに提供する場合、以下の設計目標を満たすべきことが好ましい。
−  追加の制御オーバーヘッドを最小限にする：  ユーザ機器からの追加のフィードバックが導入されるごとに追加のオーバーヘッドが発生する。この場合の設計原理として、適用される制御シグナリングのオーバーヘッドが、受信機における干渉除去と送信機における対応するＭＣＳ選択によって達成することのできる予測されるスループット利得を上回らないべきである。したがって、特に、適切かつ動的なリンクアダプテーションを促進にするためには頻繁なＣＳＩ報告が必要であることを考慮し、複数の異なる干渉仮定に関連する複数のＣＱＩ報告を、最小限の追加のシグナリングオーバーヘッドで提供することが望まれる。
−  仕様および実装の変更が最小限である：  新しい仕様にスムーズに移行できるように、暗黙的に要求される３ＧＰＰ仕様の変更はできる限り小さく維持されるべきである。
−  必要な場合にのみ複数のＣＱＩ報告を提供する：  ユーザ機器は、必要なときにのみ複数のＣＱＩ報告をサービングｅＮＢに提供するべきである。この要件は、制御オーバーヘッドを最小限にする必要性に関連する。
【００５６】
本発明の一実施形態は、ＬＴＥシステムにおいて、干渉除去機能を有する受信機を備えたユーザ機器から、ダウンリンク送信のチャネル状態情報（ＣＳＩ）をサービングｅＮＢに提供する方策に関する。以下では、複数の干渉仮定に基づくＣＳＩを、１つの報告メッセージによってサービングｅＮＢに提供するためのさまざまな方策を説明する。このことは、リリース１１の既存のＣＳＩ報告フォーマットの特定のビットを再利用することによって、または、１つまたは複数の新規のＣＳＩ報告フォーマットを導入することによって、有利に達成される。
【００５７】
具体的には、ユーザ機器から、関連付けられるサービングｅＮＢへの１つのＣＳＩ報告メッセージの中で、複数の異なる干渉仮定下における１つの基準リソースに対する複数のＣＱＩを報告することを考慮する解決策を提供する。したがって、図１２に示したように、ネットワークノードからデータを受信する装置１２００Ａを提供する。この装置１２００Ａは、ネットワークノードから基準信号を受信する受信ユニット１２１０Ａと、受信ユニットによって受信されて第１の干渉仮定に従って処理された基準信号、に従って第１のチャネル品質を求め、受信ユニットによって受信されて別の第２の干渉仮定に従って処理された基準信号、に従って第２のチャネル品質を求める、チャネル状態判定ユニット１２２０と、第１のチャネル品質および第２のチャネル品質をチャネル品質メッセージの中でネットワークノードに送信する送信ユニット１２３０Ａと、を備えている。
【００５８】
装置１２００Ａは、例えばユーザ機器（ＬＴＥのユーザ機器など）とすることができる。しかしながら、本発明はこれに限定されず、一般的には、データを受信するこの装置は、干渉の除去または抑制を適用し、リンクアダプテーションの目的にフィードバックを任意の他の装置に提供する任意の装置とすることができることに留意されたい。特に、本発明は、端末と基地局、または端末とアクセスポイントの間の通信に使用することができる。通常では、端末が基地局またはアクセスポイントにフィードバックを報告する。しかしながら一般的には、逆の場合、または、端末と端末の間や任意の装置（基地局、アクセスポイント、中継ノードなど）間の直接的な通信にも、本発明を適用することができる。
【００５９】
基準信号は、受信機に既知であり、かつ所定のリソースで送信される任意の所定の信号であり、チャネル状態の推定を支援する。例えばＬＴＥにおいては、基準信号は、特定のＯＦＤＭシンボルおよびサブキャリアにおいて送信されるＣＲＳ（セル基準信号）（非特許文献１に定義されている）とすることができる。
【００６０】
チャネル品質は、本明細書では、受信された信号と、送信されるときの信号（基準信号であるため受信機において既知である）とに基づいてチャネル状態を反映する任意のメトリックとすることができる。このようなメトリックは、推定された信号対干渉・雑音比（ＳＩＮＲ）とする、または、ビット誤り率など任意の他のメトリックとすることができる。さらに、チャネル品質は、推定されたチャネル状態下でデータ（チャネル品質インジケータの内容など）を高い信頼性で伝えるために必要であったトランスポートフォーマットに反映させることもできる。ＬＴＥの場合、チャネル品質は、報告されるＣＱＩの内容とすることができる。
【００６１】
干渉仮定とは、受信装置が受ける干渉に関する想定である。このような想定は、受信信号をより良好に回復する目的で受信信号をさらに処理するために重要である。干渉仮定は、受信機に影響する干渉が存在しないという想定とすることができる。したがって、受信信号を回復するための特定の処理は必要ない。想定の別の例としては、例えば、特定の設定（例：変調、符号化、周波数または時間の割当て、電力など）を使用して干渉信号が送信されたという想定や、干渉セルに特定の負荷が存在する、または存在しないという想定である。
【００６２】
言い換えれば、本発明の一実施形態によると、第１の干渉仮定が、干渉が存在しないことであり、第２の干渉仮定が、干渉が存在することである。データ受信装置１２００Ａは、干渉の除去または抑制によって、受信された基準信号を第２の干渉仮定に従って処理する干渉除去ユニット１２４０、をさらに備えていることが有利である。なお、これは干渉仮定の１つの具体的な実施形態にすぎないことに留意されたい。この場合、チャネル品質を推定するために、ユーザ機器の受信機において干渉除去を実行する前の（Ｐｒｅ−ＩＣ）干渉電力レベルと、ユーザ機器の受信機において干渉除去を実行した後の（Ｐｏｓｔ−ＩＣ）干渉電力レベルが考慮される。一般的には、第１の仮定は、想定される干渉源の特性を示す第１のパラメータセットであり、第２の仮定は、想定される同じまたは異なる干渉源の特性を示す第２のパラメータセットとすることができる。このようなパラメータは、本発明の背景技術のセクションで説明したように、受信装置によって推定する、またはネットワークから受信することができる。この場合、干渉の除去または抑制によって、受信された基準信号を第１の干渉仮定にも従って処理するように、干渉除去ユニットをさらに構成することができる。
【００６３】
要求される仕様の変更とシグナリングオーバーヘッドとを最小限にする目的で、２つのコードワードに対応するすでに規定されているリリース１１のＣＳＩ報告をできる限り再利用することができるように、これらの干渉除去後（Ｐｏｓｔ−ＩＣ）の値および干渉除去前（Ｐｒｅ−ＩＣ）の値（または２つの異なる干渉想定によって求められるそれぞれのＣＱＩ値）を、２つの独立したコードワードのＣＱＩが報告されるかのように処理することが特に有利である。
【００６４】
言い換えれば、本発明の一実施形態によると、チャネル状態判定ユニット１２２０は、複数のレイヤにおいて送信される基準信号に従って第３のチャネル品質を求めるようにさらに構成されている。装置１２００Ａは、第１のチャネル品質および第２のチャネル品質、または、第３のチャネル品質、のいずれかを含むチャネル状態情報メッセージ、を生成するチャネル状態情報生成ユニット１２５０、をさらに備えている。このコンセプトでは、特に、複数の異なる干渉仮定（Ｐｏｓｔ−ＩＣおよびＰｒｅ−ＩＣ）に関連するＣＱＩ値を１つの報告メッセージの中で報告する目的に、２つのコードワードに対応するＬＴＥリリース１１のＣＳＩ報告を使用することに焦点をあてる。チャネル状態およびトラフィック負荷の状態に応じて、１つの干渉仮定（Ｐｒｅ−ＩＣ）下における、２つのコードワードの２つのＣＱＩ報告と、２つの異なる干渉仮定（Ｐｏｓｔ−ＩＣおよびＰｒｅ−ＩＣ）下における、１つのコードワードの２つのＣＱＩ報告との間で、ＣＳＩ報告を切り替えることができる。この場合、干渉除去を実行することによって恩恵を受けるユーザ機器は、主として、強い干渉に起因して信号対干渉・雑音比（ＳＩＮＲ）が低いかまたは極めて低い、セル周縁部のユーザ機器であるものと想定する。２つのコードワードのスケジューリングは、ＬＴＥにおいては、複数の空間レイヤで送信する場合に使用され、複数の空間レイヤで送信する恩恵が最も大きいのは、信号対干渉・雑音比（ＳＩＮＲ）レベルが高い場合であり、すなわち受ける干渉電力レベルが低い、セルの中央付近のユーザ機器である。高い干渉電力レベルを受けるセル周縁部のユーザ機器には、信号対干渉・雑音比（ＳＩＮＲ）を最大にする目的で、１つのコードワードのシングルレイヤ送信がスケジューリングされる。したがって暗黙的な制約として、干渉除去を実行するユーザ機器は、２つのコードワードのＣＱＩ値を報告することができず、しかしながらこのことは、上記の理由からシステムのスループット性能にマイナスには影響しないものと予測される。
【００６５】
上述した想定の論理的根拠について、図１５によって説明する。スペクトル効率と信号対干渉・雑音比（ＳＩＮＲ）レベル（単位：ｄＢ）との間の依存関係は、線形関係によって近似することができる。各レイヤにおける送信電力レベルがシングルレイヤ送信の場合と同じであり、かつレイヤ間の相互干渉が存在しないものと想定した場合には、空間レイヤ数を２倍にすると、スペクトル効率も２倍になる。しかしながらマルチレイヤ送信の場合、シングルレイヤ送信に使用される送信電力をレイヤ間で共有しなければならず、かつレイヤ間の相互干渉を無視できないならば、デュアルレイヤのスペクトル効率は、図１５（シングルレイヤ送信およびデュアルレイヤ送信におけるスペクトル効率）に概略的に示したように低下する。図６は、図５を参照しながら説明した一般的なＮＡＩＣＳシナリオに、上のコンセプトを適用する方法を示している。位置６０１および位置６０２のユーザ機器は、ｅＮＢ  Ｂからの強い干渉を受けず、したがって干渉除去を実行せず、リリース１１のＣＳＩ報告を使用する。位置６０３および位置６０４のユーザ機器は、ｅＮＢ  Ｂからの強い干渉を受け、したがってｅＮＢ  Ｂからの干渉の除去を実行する候補である。これらのユーザ機器は、干渉除去と組み合わせて適切なリンクアダプテーションを促進するための機能強化されたＣＳＩ報告の恩恵を受ける。位置６０３および位置６０４のユーザ機器は、信号対干渉・雑音比（ＳＩＮＲ）レベルが低いかまたは極めて低いため、（２つのコードワードを有する）複数の空間レイヤを通じての送信はスケジューリングされないことが予測される。上のコンセプトは、複数の異なる干渉仮定に関連するＣＱＩレベルを報告する場合に限定され、なぜなら、シングルレイヤ送信を想定したとき、ビームフォーミングのための空間プリコーダ（ＰＭＩによって表される）は、ほとんどの場合、Ｐｒｅ−ＩＣおよびＰｏｓｔ−ＩＣの両方において同じであるためである。この論理的根拠として、シングルレイヤ送信の最適なプリコーダは、送信電力が受信側ユーザ機器の位置の方向（これはＰｒｅ−ＩＣ想定およびＰｏｓｔ−ＩＣ想定の両方において同じである）に導かれるように選択するべきであるためである。
【００６６】
マルチレイヤ送信は、基本的には、複数のシングルレイヤ送信の重ね合わせからなる。受信機における異なる空間レイヤ間の相互干渉を最小にする目的で、送信機は、異なる送信レイヤを直交化するために、異なるレイヤに異なるプリコーダを適用する。通常では完全な直交化を達成できないため、空間レイヤ間に特定の大きさの残留干渉が存在する。さらには、送信電力全体を複数の異なるレイヤ間で共有しなければならない。これらの理由から、マルチレイヤ送信では、シングルレイヤ送信と比較して、各レイヤにおける信号対干渉・雑音比（ＳＩＮＲ）が低下する（容量は増大する）。マルチレイヤ送信の容量の利得は、使用される空間レイヤすべての合計容量によって達成されるが、各レイヤの寄与容量は、シングルレイヤ送信の容量よりも小さい。このことは図１５に示してある。
【００６７】
ＬＴＥでは、ユーザ機器は、ＣＳＩ報告の一部としてランクインジケータ（ＲＩ）をサービングｅＮＢに送信する。このランクインジケータ（ＲＩ）は、その時点のチャネル状態および干渉状態下でユーザ機器がＰＤＳＣＨの受信時に処理することのできる空間送信レイヤの数を示す。ＣＳＩ報告の一部として送信されるＰＭＩの解釈は、ＰＭＩ報告に関連するＲＩ値によって決まる。ＰＭＩは、ＲＩ個の空間送信レイヤのプリコーダコードブックのエントリを示す。ＬＴＥ仕様におけるプリコーダコードブックは、２次元テーブルによって表され、このテーブルでは、非特許文献１および非特許文献２に定義されているように、その列が、ＲＩに対応する空間レイヤの数を表し、ＰＭＩによって示される行には、与えられた数の空間レイヤの異なるプリコーディング行列／ベクトルが含まれる。
【００６８】
ＬＴＥシステムにおける本発明の実施に関連する本発明の実施形態によると、ＮＡＩＣＳ用に設定されているＣＳＩ報告におけるＰＭＩとＲＩの間の対応関係の再解釈を提供する。ランクインジケータ（ＲＩ）は、送信機側における空間レイヤの特定の数を示す代わりに、シングルレイヤ送信に対するＣＳＩ報告の干渉仮定の数（したがって１つのコードワードのＣＱＩ値の数）を示す。
【００６９】
言い換えれば、チャネル状態情報メッセージは、以下のフォーマットを有することが有利である。すなわち、第３のチャネル品質がシグナリングされるときには、チャネル状態情報メッセージには、複数のアンテナによって送信されるレイヤの数を示すランクインジケータＲＩと、ランクインジケータによって示されるレイヤの数に従う１つまたは複数のコードワードのチャネル品質ＣＱＩ  Ａ，ＣＱＩ  Ｂを含む第３のチャネル品質と、プリコーディング行列を示すプリコーディング行列インジケータＰＭＩとが含まれる。これに対して、第１のチャネル品質および第２のチャネル品質がシグナリングされるときには、チャネル状態情報メッセージには、ＲＩの代わりに（すなわちＲＩに対応するメッセージフィールドの中の）、チャネル品質がシグナリングされる対象の干渉仮定の数（１または２、または３以上）を示す仮定数インジケータと、仮定数インジケータによる干渉仮定の数に対応する第１のチャネル品質（ＣＱＩ  Ａ＊）もしくは第２のチャネル品質（ＣＱＩ  Ｂ＊）またはその両方と、プリコーディング行列を示すプリコーディング行列インジケータ（ＰＭＩ）とが含まれる。プリコーディング行列インジケータは、第１のタイプおよび第２のタイプの品質情報が送信されるか、または第３のタイプの品質情報が送信されるかに応じて、同じフォーマットまたは異なるフォーマットを有することができる。本明細書に記載されている実施形態のほとんどは、２つのコードワードの２つのＣＱＩ、または２つの干渉仮定に関連する２つのＣＱＩをシグナリングするさまざまな方法を示す。このような方法は、特に、リリース１１の報告フォーマットを再利用するという点で有利である。しかしながら、本発明はこれに限定されず、同じ数のコードワードの代わりに、複数の異なる干渉仮定に関連するそれぞれの複数の（３つ以上の）ＣＱＩをシグナリングするように拡張することができる。さらに、一般的には、１つのＣＳＩメッセージの中でＣＱＩを送信することのできる対象のコードワードの数は、ＣＱＩを送信することのできる対象の干渉仮定の数より小さくても大きくてもよい。
【００７０】
以下では、上位層によって設定されるサブバンドのセットのＣＱＩ報告と１つのＰＭＩとを含む、ＬＴＥに規定されているＰＵＳＣＨ  ＣＳＩ報告モード３−１を適合化するための例示的な方法について詳しく説明する。なお、以下の説明は、非周期的なＣＳＩ報告モードに焦点をあてており、なぜならこのようなモードは、プリコーダの動的な選択と組み合わせて頻度選択型のスケジューリングの場合に優先度が最も高いと考えられるためである。しかしながら、本発明は、非周期的なフィードバックシグナリングに限定されず、周期的な報告にも適用することができる。この例示的な実施形態によるＮＡＩＣＳ  ＣＳＩ報告では、リリース１１におけるＣＳＩ報告とは異なり、ＣＱＩ値は、複数の異なるコードワードではなく複数の異なる干渉仮定に対する値である。さらに、ＮＡＩＣＳ報告におけるＰＭＩは、このメッセージのフォーマットではリリース１１のランクインジケータ値に対応するいかなる仮定インジケータ値においても、シングルレイヤのプリコーダを表す。
【００７１】
この実施形態は図７に示してあり、図７におけるさまざまなインジケータを表すフィールドは、次の表１のとおりである。
【００７２】
【表１】
0006374981.tif 000002
【００７３】
具体的には、図７の上段は、リリース１１のＬＴＥにおけるチャネル状態情報のシグナリングを示している。このチャネル状態情報メッセージの長さおよびフォーマットは、ＲＩの値に依存する。ＲＩが１に等しい場合、そのことは、シングルレイヤ送信に対するフィードバックが送信されることを意味する。したがって、ＲＩに加えて、１つのコードワードのＣＱＩのみと、ＰＭＩ１とが含まれる。このＣＱＩには、４ビット長の広帯域ＣＱＩと、Ｎ個のサブバンドに対する２ビット長のＮ個のそれぞれのサブバンドＣＱＩとが含まれる。サブバンドの数Ｎは、設定可能である。ＰＭＩ１は、シングルレイヤ送信のプリコーディング行列を識別するＰＭＩである。ＲＩが２以上である場合、複数のレイヤのＣＱＩがシグナリングされる。複数のアンテナによって並列に送信される２つの（一般的に）異なるコードワードに対応する２つのレイヤのＣＱＩがシグナリングされる。したがって、第１のコードワードのＣＱＩ  Ａと第２のコードワードのＣＱＩ  Ｂが含まれる。これらのＣＱＩ  ＡおよびＣＱＩ  Ｂそれぞれには、４ビットの広帯域ＣＱＩと、２ビットのＮ個のサブバンドＣＱＩとが含まれる。ＰＭＩ２は、デュアルレイヤ送信のプリコーディング行列を識別するＰＭＩである。したがってＰＭＩ１とＰＭＩ２の違いとして、それぞれの同じ値が、異なるプリコーディング行列（シングルレイヤ送信の行列とマルチレイヤ送信の行列）を指す。
【００７４】
図７の下段には、この例示的な実施形態による、ＮＡＩＣＳフィードバックを報告する目的にリリース１１のＣＳＩメッセージを再利用する方法を示してある。左側は、上述したリリース１１のＣＳＩ報告を示している。右側は、リリース１１のＣＳＩ報告のフォーマットを再利用するＮＡＩＣＳ報告を示している。チャネル状態情報メッセージの長さは、特に、第１のチャネル品質および第２のチャネル品質をシグナリングするときと、第３のチャネル品質をシグナリングするときとで、同じである。この場合、プリコーディング行列インジケータは、マルチレイヤ送信のプリコーディング行列を示すときと、シングルレイヤ送信のプリコーディング行列を示すときとで、同じ長さを有する。さらに、ランクインジケータＲＩと仮定インジケータは同じ長さを有する（言い換えれば、仮定インジケータは対応するＲＩフィールドの中でシグナリングされる）。
【００７５】
図７の例において理解できるように、（右側の）ＮＡＩＣＳ報告におけるＰＭＩはＰＭＩ１であり、これはシングルレイヤ送信のＰＭＩであり、なぜなら、複数の干渉仮定に関連する報告はシングルレイヤ送信に対してのみ実行されるものと想定するためである。しかしながら、この例におけるＰＭＩ１とＰＭＩ２は依然として同じ長さを有する。
【００７６】
以下では、上述したこの例示的な実施形態による、ＬＴＥによってサポートされるさまざまな数の送信（ＴＸ）アンテナポートの場合のＰＵＳＣＨ  ＣＳＩ報告モード１−３におけるＰＭＩ報告について詳しく説明する。ＬＴＥでは、アンテナは、２つ、４つ、または８つのアンテナポートを有することができる（すなわち、特定の空間方向におけるビームフォーミング（シングルレイヤ送信）に使用されるアンテナ、または異なるデータの並列送信（マルチレイヤ送信）に使用されるアンテナ）。しかしながら、本発明は、２本、４本、または８本のアンテナに限定されず、アンテナの数は、２本以上の任意の数および９本以上の任意の数でもよいことに留意されたい。さらに、この例では、デュアルレイヤ送信を示している。しかしながら、本発明は一般的にこれに限定されず、より多くのレイヤ（例えば３つ、４つ、またはそれ以上のレイヤ）の送信、および（場合によってはこれに相応する）より多くの干渉仮定、に拡張することができる。
【００７７】
８つの送信アンテナポートの場合、ＬＴＥでは、シングルレイヤのＰＭＩ１およびデュアルレイヤのＰＭＩ２のいずれも、８個のビットによって示される。現在のプリコーダは、第１のＰＭＩと第２のＰＭＩの組合せによって決まり、いずれのＰＭＩも、１つまたは２つの空間レイヤ（ＲＩ＝１またはＲＩ＝２）の場合に４個のビットによって個別に示される。したがって、シングルレイヤのＰＭＩを、ＲＩ＝２に対応するリリース１１の報告フォーマットにおいても、さらなる適合化を行うことなく送信することができる。したがって、８つの送信アンテナポートの場合、リリース１１のＣＳＩメッセージを容易に適合化することができ、すなわちＲＩの代わりに仮定インジケータを送信し、コードワードごとのＣＱＩの代わりに干渉仮定それぞれに関連するＣＱＩを送信し、ＰＭＩ２の代わりにＰＭＩ１を送信することができ、なぜならＰＭＩ１（シングルレイヤ）およびＰＭＩ２（デュアルレイヤ）が同じ長さを有するためである。
【００７８】
４つの送信アンテナポートの場合、ＬＴＥでは、シングルレイヤのＰＭＩおよびデュアルレイヤのＰＭＩのいずれも、４個のビットによって示される。したがって、前述した８つの送信アンテナポートの場合と同様に、シングルレイヤのＰＭＩ１を、ＲＩ＝２に対応するリリース１１の報告フォーマットにおいても、さらなる適合化を行うことなく送信することができる。
【００７９】
したがって、アンテナポートの第１の数（８または４など）の場合、１つのコードワードのチャネル品質情報は、１つの干渉仮定に関連するチャネル品質情報と同じ長さを有する。
【００８０】
しかしながら、２つの送信アンテナポートの場合、ＬＴＥでは、シングルレイヤのＰＭＩが２個のビットによって示され、デュアルレイヤのＰＭＩが１個のビットによって示される。すなわち、ＲＩ＝２に対応するリリース１１の報告フォーマットを、追加の修正なしでシングルレイヤのＰＭＩを報告する目的に使用することはできない。図８に示した、２つの送信アンテナポートの場合の以下の実施形態では、ＲＩ＝２に対応するリリース１１の報告フォーマットにおいて、２ビットのシングルレイヤのＰＭＩを報告するための複数の異なる例示的な解決策について説明する。
【００８１】
最初の有利な方法として、図８Ａに示したように、第２の広帯域ＣＱＩ（ＣＱＩ  Ｂ＊）から１個のビットを取り、それを、２ビットのシングルレイヤのＰＭＩに使用される２番目のビットとして再解釈する。第２の広帯域ＣＱＩについては、その絶対ＣＱＩレベルを４個のビットによって示す代わりに、第１の広帯域ＣＱＩレベルに対する３ビットの差分ＣＱＩ値によって示すことができる。このような３ビットの差分報告は、８つの差分レベルをカバーする。これは、リリース１１の仕様に従って約１６ｄＢに対応し、Ｐｒｅ−ＩＣ報告とＰｏｓｔ−ＩＣ報告の間の信号対干渉・雑音比（ＳＩＮＲ）の予測される差をカバーするのに十分であると考えられる。
【００８２】
図８Ａにおいて理解できるように、アンテナポートの第２の数の場合、一方の干渉仮定に関連するチャネル品質情報は、他方の干渉仮定に関連するチャネル品質情報（図８Ａでは４＋２＊Ｎ）より短い長さ（図８Ａでは３＋２＊Ｎ）を有し、少なくともその一部は、他方の干渉仮定に対して差分符号化される。具体的には、短い方のＣＱＩには、差分符号化された広帯域ＣＱＩと、差分符号化されていないサブバンドＣＱＩとが含まれる。しかしながら一般的には、サブバンドＣＱＩの１つまたは複数を差分符号化し、広帯域ＣＱＩを個別に符号化することもできることに留意されたい。ここで、「一方の干渉仮定に関連するチャネル品質」は、第１のチャネル品質または第２のチャネル品質のいずれかであり、「他方」は、それぞれの場合において第２のチャネル品質または第１のチャネル品質である。このようにすることで、リリース１１の報告におけるＣＳＩを、そのままＮＡＩＣＳ報告に使用することができ、シングルレイヤのＰＭＩを、対応するＮＡＩＣＳ報告の中で伝えることができる。シグナリングされるＣＱＩのうちの一方から１個のビットを取ることにより、ＮＡＩＣＳ報告におけるＰＭＩ１はＰＭＩ２と同じ長さを有することができ、したがって、両方のＣＱＩが含まれるときにもＰＭＩ１をシグナリングすることができる。リリース１１のフォーマットを変更しないまま維持することができ、このことは良好な下位互換性に寄与する。
【００８３】
リリース１１におけるＰＭＩ１とＰＭＩ２の長さの違いに対処する２番目の有利な方法として、図８Ｂに示したように、ＮＡＩＣＳ  ＣＳＩ報告の場合に、ＲＩ＝２の場合の報告フォーマットのサイズを１ビットだけ拡張する。この方法では、第２の広帯域ＣＱＩの報告に関して完全な柔軟性が与えられ、なぜなら第２の広帯域ＣＱＩが、図８Ａの上の例におけるように３ビットの差分報告に制限されないためである。しかしながら、ＲＩ＝２の場合に報告フォーマットのサイズが大きくなることにより、図８Ａの例よりもシグナリングオーバーヘッドが増大し、より多くの実装の変更が要求される。言い換えれば、図８Ｂによるチャネル状態情報メッセージは、第１のチャネル品質および第２のチャネル品質をシグナリングするときに、第３のチャネル品質をシグナリングするときよりも大きい長さを有し、この場合、プリコーディング行列インジケータは、マルチレイヤ送信のプリコーディング行列を示すときと、シングルレイヤ送信のプリコーディング行列を示すときとで同じ長さ（図８Ｂでは２ビット）を有し、第１の品質と第２の品質と第３の品質は同じ長さ（図８Ｂでは４＋２＊Ｎビット）を有し、ランクインジケータと仮定インジケータは同じ長さを有する。なお、図８Ｂのこのフォーマットは特定の数のアンテナポートの場合に使用することができ、別のアンテナポートの場合には別のフォーマットを使用できることに留意されたい。ＬＴＥでは、アンテナポートの数が４および８である場合、ＰＭＩ１の長さはＰＭＩ２に等しいため、このような場合にはリリース１１のフォーマットを完全に再利用することができ、したがって、リリース１１の報告とＮＡＩＣＳ報告のＲＩおよびＣＱＩの長さ、さらにはＣＳＩメッセージのサイズが同じである。アンテナポート数が２である場合のみ、図８Ａ、図８Ｂ、または図８Ｃに示したように修正されたリリース１１のフォーマットを使用する。しかしながら、本発明はＬＴＥに限定されず、したがって一般的に任意のあらゆる数のアンテナポートの場合に、フォーマット８Ａ、フォーマット８Ｂ、およびフォーマット８Ｃを適用することができる。
【００８４】
３番目の有利な方法は図８Ｃに示してある。前の２つの実施形態とは異なり、この場合、ＮＡＩＣＳシグナリングにおいて、ＲＩ＝１の場合の報告フォーマットのサイズが修正されるのに対して、ＲＩ＝２の場合の報告フォーマットはリリース１１の場合と同じままである。すなわちＮＡＩＣＳ  ＣＳＩ報告に使用されるフォーマットは、ＲＩ＝１およびＲＩ＝２いずれの場合も同じである。使用される報告フォーマットは、ＲＩ＝２の場合にはリリース１１のフォーマットであり、ＰＭＩを示す１個のビットを含む。２つの送信アンテナポートの場合のシングルレイヤのプリコーディングのコードブックインデックスは、下の表（右側の表３）に例示的に記載されているように、ＲＩとＰＭＩの組合せによって与えられる。リリース１１における対応するコードブックインデックスの指示値は、下の表（左側の表２）に示してある。
【００８５】
【表２】
0006374981.tif 000003
【００８６】
【表３】
0006374981.tif 000004
【００８７】
言い換えれば、チャネル状態情報メッセージのサイズは、シングルレイヤ送信の場合とマルチレイヤ送信の場合とで同じである。さらには、送信に適用するべきシングルレイヤのプリコーディング行列は、プリコーディング行列インジケータ自体によってではなく、ランクインジケータ（または仮定インジケータ）の値とプリコーディング行列インジケータの値の組合せによって与えられる。
【００８８】
次の表は、与えられたコードブックインデックスに対応する、リリース１１のプリコーディング行列（ベクトル）を示している。ＲＩ＝１（レイヤ数が１に等しい）の場合のコードブックインデックスは、対応する値０〜３をとることができるＰＭＩによってシグナリングされる。
【００８９】
【表４】
0006374981.tif 000005
【００９０】
上述した例示的な実施形態によると、シングルレイヤ送信のための同じコードブックインデックスを、ＲＩ値とＰＭＩ値の組合せによって示すことができる。例えば、コードブックインデックス０はＲＩ＝１かつＰＭＩ＝０に対応し、インデックス１はＲＩ＝１かつＰＭＩ＝１に対応し、インデックス２はＲＩ＝２かつＰＭＩ＝０に対応し、インデックス３はＲＩ＝２かつＰＭＩ＝１に対応する。
【００９１】
場合によっては、Ｐｒｅ−ＩＣ  ＣＳＩ報告とＰｏｓｔ−ＩＣ  ＣＳＩ報告とにおいて異なるＰＭＩを報告することが有利であることがあり、なぜなら、ユーザにおける主たる干渉寄与分の到着角度が、Ｐｒｅ−ＩＣ  ＣＳＩ報告とＰｏｓｔ−ＩＣ  ＣＳＩ報告とで異なることがあるためである。以下では、上述した例と同様に、１つのＰＭＩと、サブバンドに固有な（１つまたは複数の）ＣＱＩとを含む、リリース１１のＰＵＳＣＨ  ＣＳＩ報告モード１−３に焦点をあてて説明する。しかしながら、本発明はこの例に限定されないことに留意されたい。任意の別の報告モードを同様に再利用することができる。さらには、ＬＴＥ以外の別のシステムにおける報告を、本発明に従って実施することができる。
【００９２】
１つの方法は、ＮＡＩＣＳの場合の報告のペイロードサイズを、２番目のＰＭＩに必要なビット数だけ大きくすることである。したがって、チャネル状態情報メッセージには、第１の干渉仮定に関連するプリコーディング行列を示す第１の仮定のプリコーディング行列インジケータと、第２の干渉仮定に関連するプリコーディング行列を示す第２の仮定のプリコーディング行列インジケータとが含まれる。しかしながら、補足的なＰＭＩを追加することによってＣＳＩの長さを拡張すると、シグナリング効率が低下しうる。
【００９３】
リリース１１の報告フォーマットのサイズを維持する目的で、第２の広帯域ＣＱＩからのビットを、第２のＰＭＩを報告するのに使用することができ、この方法について以下に詳しく説明する。この場合、第２の干渉仮定に関連するＣＱＩ報告を、サブバンド差分報告によって十分にカバーできるものと想定する。したがってさらに、第２のチャネル品質インジケータのサイズが第１のチャネル品質インジケータのサイズより小さい。チャネル状態情報メッセージのサイズは、第１のチャネル品質および第２のチャネル品質がシグナリングされるときと、第３のチャネル品質がシグナリングされるときとで等しい。この方法は、図９に、さまざまな数の送信アンテナポートの場合について示してある。以下では、さまざまな数の送信アンテナポートの場合における詳細な例示的な実施形態について説明する。
【００９４】
図９Ａは、８つのアンテナポートの場合の例を示している。したがって、２つのランク１のＰＭＩ（すなわちシングルレイヤ送信のＰＭＩ）、すなわちＨ１−ＰＭＩ１およびＨ２−ＰＭＩ１を報告するのに、８＋８個のビットではなく８＋４個のビットを使用する。８つのアンテナポートの場合のランク１のプリコーダは、リリース１１の仕様におけるＰＭＩ１の４ビット長の２つの成分（ＰＭＩ１−ｉ１およびＰＭＩ１−ｉ２）によって記述される２つのプリコーディングベクトルを乗算することによって与えられる。この実施形態においては、両方の干渉仮定において同じ成分ＰＭＩ１−ｉ１で十分である（すなわちＨ１−ＰＭＩ１−ｉ１＝Ｈ２−ＰＭＩ１−ｉ１）ものと想定する。したがって、第１のプリコーダ成分ｉ１を示すのに必要なビット数は４個のみであり、これに加えて、（第１の仮定および第２の仮定に関連する）Ｈ１−ＰＭＩ１およびＨ２−ＰＭＩ１それぞれの第２の成分ｉ２のための４ビット×２である。
【００９５】
上に説明したように、８つの送信アンテナポートの場合に報告されるプリコーダは、第１のＰＭＩ成分と第２のＰＭＩ成分の組合せによって決まり、これらの成分それぞれは４個のビットによって個別に示される。これら２つのＰＭＩ成分それぞれは、特定のプリコーディング行列／ベクトルを示し、８つの送信アンテナポートの場合の集合プリコーダ（aggregate pre-coder）は、詳細な文献情報とともに上に引用した非特許文献４の７.２.４節に記載されているように、これら２つのプリコーダを乗算することによって求められる。
【００９６】
リリース１１の報告フォーマットによって２つのシングルレイヤのプリコーダを示す目的で、図９Ａに示したように、第１の干渉仮定Ｈ１に関連する第１のプリコーダを、リリース１１と同様に８個のビット（乗算する２つのプリコーダ成分Ｈ１−ＰＭＩ１−ｉ１およびＨ１−ＰＭＩ１−ｉ２それぞれに４個のビット）によって示し、第２の干渉仮定に関連する第２のプリコーダを、４個のビットのＨ２−ＰＭＩ１−ｉ２のみによって示すものと想定する。第２の干渉仮定に関連する第１のプリコーディング成分Ｈ２−ＰＭＩ１−ｉ１は、第１の干渉仮定に関連する集合プリコーダを決める乗算用に示される第１のプリコーディング行列／ベクトルＨ１−ＰＭＩ１−ｉ１と同じであるものと想定する。言い換えれば、第１の仮定のプリコーディング行列インジケータＨ１−ＰＭＩおよび第２の仮定のプリコーディング行列インジケータＨ２−ＰＭＩそれぞれは、２つの成分ｉ１およびｉ２からなり、これらの成分ｉ１およびｉ２は、互いの組合せによって、送信に適用するべきプリコーディングを指定する。チャネル状態情報メッセージには、第１の仮定のプリコーディング行列インジケータおよび第２の仮定のプリコーディング行列インジケータに共通である１つの共通の第１の成分のインジケータ（すなわちＨ１−ＰＭＩ−ｉ１＝Ｈ２−ＰＭＩ−ｉ１）と、第１の仮定のプリコーディング行列インジケータおよび第２の仮定のプリコーディング行列インジケータそれぞれの個別の第２の成分Ｈ１−ＰＭＩ−ｉ２，Ｈ２−ＰＭＩ−ｉ２とが含まれる。
【００９７】
この実施形態においては、ＣＳＩメッセージのサイズをリリース１１と同じに維持する目的で、第２の干渉仮定（例えばＰｏｓｔ−ＩＣ）に関連する広帯域（ＷＢ）ＣＱＩが存在しない。第２の干渉仮定に関連するＣＱＩ報告は、サブバンドあたり２個のビット（４つの差分レベルに対応する）によるサブバンド差分報告のみからなる。第２の干渉仮定に関連するこれらのサブバンド差分報告のための基準は、第１の干渉仮定に関連する広帯域ＣＱＩ報告、または第１の干渉仮定に関連する個々のサブバンドＣＱＩ報告のいずれかとすることができ、この場合、個々のサブバンドＣＱＩ報告は、詳細な文献情報とともに上に引用した非特許文献４に規定されているように、第１の広帯域ＣＱＩ報告に対する差分報告によってすでに与えられている。
【００９８】
図８を参照しながら上述した、両方の干渉仮定に関連する１つのＰＭＩを報告するコンセプトと、複数のＰＭＩを報告するコンセプトとを組み合わせるとき、下の表４に示したように、ＲＩを使用して、異なる報告を識別することができる。表中の略語ＷＢ、ＳＢ、ＳＬは、それぞれ広帯域、サブバンド、シングルレイヤを表す。
【００９９】
【表５】
0006374981.tif 000006
【０１００】
列ＲＩは、ランクインジケータの値を示す。列ＷＢ  ＣＱＩ  Ａ＊は、第１の干渉仮定に関連して送信される広帯域ＣＱＩのビットの数を示す。この例においては、つねに４ビット長である。列ＳＢ  ＣＱＩ  Ａ＊は、第１の干渉仮定に関連するサブバンドＣＱＩの長さを示し、この実施形態においてはＮ×２ビットである。しかしながら、これらのサイズは例示的なものにすぎず、一般的には、サブバンドＣＱＩは２ビット以外のサイズを有することができることに留意されたい。列ＳＬ  ＰＭＩ  Ａ＊は、（１つまたは２つの）ＰＭＩのサイズを示し、すなわち４＋４ビット（２つのＰＭＩ成分ｉ１およびｉ２）、または４ビット（１つの成分ｉ２）のいずれかである。列ＷＢ  ＣＱＩ  Ｂ＊は、第２の干渉仮定に関連する送信される広帯域ＣＱＩのビットの数を示す。この例においては、０ビット長または４ビット長であり、第２の干渉仮定に関連する第２のＰＭＩを送信するのに４ビットが必要であるかによって決まる。列ＳＢ  ＣＱＩ  Ｂ＊は、第２の干渉仮定に関連するサブバンドＣＱＩの長さを示し、この実施形態においては、マルチレイヤ送信に対してはＮ×２ビット、シングルレイヤ送信に対しては０ビットである。最後に、列ＳＬ  ＰＭＩ  Ｂ＊は、第２の仮定に関連するＰＭＩのビットの数を示す。とりうる値は、０ビット（このようなＰＭＩがサポートされない場合）、４ビット（成分ｉ２のみが送信され、成分ｉ１は第１の仮定の場合と同じであるとみなされる場合）、または４＋４ビット（成分ｉ１および成分ｉ２の両方が送信される場合）である。
【０１０１】
８つの送信アンテナポートの場合のＣＳＩ報告では、１〜８のＲＩ値の報告がサポートされる。表４に示したＲＩの解釈に加えて、より大きいＲＩ値（５，６，７，８）を使用して、ＣＳＩ報告において使用された対応する干渉仮定を示すことができる。この場合、潜在的な干渉仮定（例えば、どの隣接ｅＮＢが干渉除去の対象であるか）を、上位層シグナリングによって設定しなければならない。
【０１０２】
要約すると、この実施形態によると、第１のチャネル品質（ＣＱＩ  Ａ）および第２のチャネル品質（ＣＱＩ  Ｂ）それぞれは、広帯域チャネル品質インジケータ（ＷＢ）と、広帯域チャネル品質インジケータに対して差分符号化されたＮ個のサブバンドチャネル品質インジケータ（Ｎ×２）とからなり、Ｎは正の整数（すなわち１に等しいかそれより大きい数）である。第１のサブバンドチャネル品質インジケータと第２のサブバンドチャネル品質インジケータは、同じ長さを有することが有利である。第１の広帯域チャネル品質と第２の広帯域チャネル品質は等しいものと想定され、第１の広帯域チャネル品質インジケータおよび第２の広帯域チャネル品質インジケータの代わりに、共通の広帯域チャネル品質インジケータが送信される。なお、上の例は８つのアンテナポートの場合として提示されていることに留意されたい。その理由として、この実施形態において再利用するリリース１１のＬＴＥの現在のフォーマットは、下位互換性を提供するためである。しかしながら一般的には、本発明はこれに限定されず、上に例示した報告フォーマットを、別の数のアンテナポートの場合に使用する、またはアンテナポートの数とは無関係に使用することもできる。同じことは、４つおよび２つのアンテナポートの場合の以下の具体的な例にもあてはまる。
【０１０３】
図９Ｂは、４つのアンテナポートの場合の例を示している。したがって、２つのランク１（シングルレイヤ）のＰＭＩを報告するのに４＋４個のビットが必要である。不足する４ビットすべては第２の広帯域ＣＱＩから取り、したがって第２の広帯域ＣＱＩは、第１の広帯域ＣＱＩと同じであるものと想定する。
【０１０４】
具体的には、上述したように、シングルレイヤのＰＭＩ１およびデュアルレイヤのＰＭＩ２のいずれも４個のビットによって示される。すなわち、ＲＩ＝２の場合のリリース１１の報告フォーマットでは、各干渉仮定（Ｐｒｅ−ＩＣおよびＰｏｓｔ−ＩＣ）ごとに１つの個々のシングルレイヤのＰＭＩを示すのに、８個のビットが必要である。上述した８つの送信アンテナポートの場合に行ったように、第２の干渉仮定に関連するＰＭＩの４個のビットは、８つの送信アンテナポートの場合と同様に、この実施形態においては第２の広帯域（ＷＢ）ＣＱＩ報告から取り、すなわち、第２の干渉仮定に関連する広帯域ＣＱＩは存在しない。第２の干渉仮定に関連するＣＱＩ報告は、サブバンドあたり２個のビット（４つの差分レベルに対応する）によるＮ個のサブバンド差分報告のみからなる。差分符号化のための基準は、第１の干渉仮定に関連する広帯域報告、または第１の干渉仮定に関連する個々のサブバンド報告のいずれかとすることができる。差分符号化においては、信号自体ではなく、符号化する信号と基準との間の差のみが符号化される。
【０１０５】
上述した、両方の干渉仮定に関連する１つのＰＭＩを報告するコンセプトと、複数のＰＭＩをシグナリングするコンセプトとを組み合わせるとき、次の表５に示したように、ＲＩを使用して、異なる報告を識別することができる。表中の略語ＷＢ、ＳＢ、ＳＬは、それぞれ広帯域、サブバンド、シングルレイヤを表す。
【０１０６】
【表６】
0006374981.tif 000007
【０１０７】
表５は、４つの送信アンテナポートの場合の２つの干渉仮定に関連する報告フォーマットを例示している。具体的には、表の各行は、フィードバック報告（ＣＳＩメッセージ）の異なるフォーマットに対応する。最初の行は、ＲＩフィールド（仮定インジケータ）の値が１のとき、一方の仮定のみに関連するＣＱＩが送信されるフォーマットを示している。したがって、４ビット長の広帯域部分と、Ｎ×２ビット長のサブバンド部分とを含む１つのＣＱＩが含まれる。さらに、プリコーダの設定（プリコーディング行列インジケータ）が４ビットでシグナリングされる。ＲＩフィールドの値２は、２つの仮定に関連するＣＱＩが送信されることを示す。したがって、２つのＣＱＩが含まれ、各ＣＱＩは、４ビット長の広帯域部分と、Ｎ×２ビット長のサブバンド部分とを含む。さらに、第１の仮定のみに関連するプリコーダの設定（プリコーディング行列インジケータ）が４ビットでシグナリングされる。ＲＩフィールドの値３は、２つの仮定に関連するＣＱＩが送信されることを示す。したがって、２つのＣＱＩが含まれ、各ＣＱＩは、Ｎ×２ビット長のサブバンド部分を含む。両方の仮定に関連する広帯域部分が等しいものと想定し、４ビット長の広帯域部分は、仮定の一方のみに対して存在する。さらに、第１の仮定および第２の仮定それぞれに関連するプリコーダの設定（プリコーディング行列インジケータ）が４ビットでシグナリングされる。２つの送信アンテナポートの場合には、上述したように、シングルレイヤのＰＭＩが２個のビットによって示され、デュアルレイヤのＰＭＩが１個のビットによって示される。すなわち、ＲＩ＝２の場合のリリース１１の報告フォーマット（ＰＭＩの報告用に１個のビットのみが提供される）において、各干渉仮定（Ｐｒｅ−ＩＣおよびＰｏｓｔ−ＩＣ）ごとに１つの個々のシングルレイヤのＰＭＩを示すのに、４個のビットが必要である。図９Ｃは、２つのアンテナポートの場合の報告フォーマットの例を示している。したがって、２つのシングルレイヤのＰＭＩ１（ＲＩ＝１の場合のＰＭＩ）を報告するのに２＋２個のビットが必要である。リリース１１の報告フォーマットを再利用できるようにする目的で、第２の広帯域（ＷＢ）ＣＱＩから３個のビットを取り、したがって第２の広帯域ＣＱＩの長さは４ビットではなく１ビットである。言い換えれば、第２の広帯域ＣＱＩは、第１の広帯域ＣＱＩと比較しての１ビットの差分によって記述される。８つの送信アンテナおよび４つの送信アンテナの場合と同様に、第２の干渉仮定に関連する第２の広帯域（ＷＢ）ＣＱＩからビットを取らなければならない。リリース１１の報告フォーマットの中でＰＭＩ報告のための４個のビットを提供する目的で、第２の広帯域ＣＱＩから３個のビットを取る。第２の干渉仮定に関連する広帯域ＣＱＩは、第１の干渉仮定に関連する広帯域ＣＱＩに対する１個の差分ビットによって与えられる。
【０１０８】
要約すると、図９Ｃに関連して示した実施形態においては、第１のチャネル品質および第２のチャネル品質それぞれは、広帯域チャネル品質インジケータと、広帯域チャネル品質インジケータに対して差分符号化されたＮ個のサブバンドチャネル品質インジケータとからなり、Ｎは正の整数である。第１のサブバンドチャネル品質インジケータと第２のサブバンドチャネル品質インジケータは、同じ長さを有する。第１の広帯域チャネル品質インジケータと第２の広帯域チャネル品質インジケータは、０でない異なる長さを有し、これら２つの広帯域チャネル品質インジケータの一方は、他方の広帯域チャネル品質インジケータに対して差分符号化される。
【０１０９】
場合によっては、たとえＮＡＩＣＳ  ＣＳＩ報告と組み合わせる場合でも、ＮＡＩＣＳがサポートされるユーザ機器が、デュアルレイヤ送信のＣＱＩおよびＰＭＩを報告できるようにすることは有利であり得る。以下では、上述した実施形態と同様に、１つのＰＭＩとサブバンドに固有なＣＱＩとを含むリリース１１のＰＵＳＣＨ  ＣＳＩ報告モード１〜３に焦点をあてて（ただし例のみを目的として）説明する。図１０のコンセプトは、この実施形態による、ＲＩを使用して対応するＮＡＩＣＳ  ＣＳＩ報告を示す方法を示している。
・  ＲＩ＝１は、シングルレイヤのＰＭＩ（ＰＭＩ１）と１つのＣＱＩ（ＣＱＩ  Ａ＊）（すなわち１つの干渉仮定に関連するＣＱＩ）を示す。
・  ＲＩ＝２は、シングルレイヤのＰＭＩ（ＰＭＩ１）と、２つの異なる干渉仮定下における１つのコードワードの２つのＣＱＩ（例えば、Ｐｒｅ−ＩＣに関連するＣＱＩ  Ａ＊およびＰｏｓｔ−ＩＣに関連するＣＱＩ  Ｂ＊）を示す。
・  ＲＩ＝３は、デュアルレイヤのＰＭＩ（ＰＭＩ２）と、２つの異なる干渉仮定下における１つのコードワードの２つのＣＱＩ（例えば、Ｐｒｅ−ＩＣに関連するＣＱＩ  Ａ＊およびＰｏｓｔ−ＩＣに関連するＣＱＩ  Ｂ＊）を示す。
【０１１０】
次の表６および表７は、この実施形態による、４つの送信アンテナポートおよび８つの送信アンテナポートの場合の報告フォーマットを適合化する例示的な方法を示している。表中の略語ＷＢ、ＳＢ、ＳＬ、ＤＬは、それぞれ広帯域、サブバンド、シングルレイヤ、デュアルレイヤを表す。
【０１１１】
【表７】
0006374981.tif 000008
【０１１２】
【表８】
0006374981.tif 000009
【０１１３】
具体的には、表６は、４つの送信アンテナポートの場合のシングルレイヤのＰＭＩおよびデュアルレイヤのＰＭＩの報告フォーマットを示しており、表７は、８つの送信アンテナポートの場合のシングルレイヤのＰＭＩおよびデュアルレイヤのＰＭＩの報告フォーマットを示している。表６および表７の各行は、フィードバック報告（ＣＳＩメッセージ）の異なるフォーマットに対応する。表６において、最初の行は、ＲＩフィールド（仮定インジケータ）の値が１のとき、一方の仮定のみに関連するＣＱＩが送信されるフォーマットを示している。したがって、４ビット長の広帯域部分と、Ｎ×２ビット長のサブバンド部分とを含む１つのＣＱＩが含まれる。さらに、プリコーダの設定（プリコーディング行列インジケータ）が４ビットでシグナリングされる。ＲＩフィールドの値２は、２つの仮定に関連するＣＱＩが送信されることを示す。したがって、２つのＣＱＩが含まれ、各ＣＱＩは、４ビット長の広帯域部分と、Ｎ×２ビット長のサブバンド部分とを含む。さらに、第１の仮定のみに関連するプリコーダの設定（プリコーディング行列インジケータ）が４ビットでシグナリングされる。ＲＩフィールドの値３は、２つの仮定に関連するＣＱＩが送信されることを示す。したがって、２つのＣＱＩが含まれ、各ＣＱＩは、Ｎ×２ビット長のサブバンド部分と、４ビット長の広帯域部分とを含む。さらに、第１の仮定および第２の仮定の両方に関連する共通のデュアルレイヤのプリコーダ設定（プリコーディング行列インジケータ）が４ビットでシグナリングされる。表７は、表６と異なる点として、ＲＩフィールドの値３の場合、両方の仮定に関連する広帯域部分が等しいものと想定し、４ビット長の広帯域部分が仮定の一方のみに対して存在する。さらに、第１の仮定および第２の仮定それぞれに関連して、デュアルレイヤのプリコーダ設定（プリコーディング行列インジケータ）が４ビットでシグナリングされる。
【０１１４】
言い換えれば、この実施形態においては、チャネル状態情報メッセージは、ランクインジケータフィールドを含み、このフィールドの第１の値は、チャネル状態情報メッセージが、１つの空間レイヤのプリコーディング行列インジケータと、第１のチャネル品質のみとをさらに含むことを示す。ＲＩフィールドの第２の値は、チャネル状態情報メッセージが、１つの空間レイヤのプリコーディング行列インジケータと、第１のチャネル品質および第２のチャネル品質とをさらに含むことを示す。ＲＩフィールドの第３の値は、チャネル状態情報メッセージが、複数の空間レイヤのプリコーディング行列インジケータと、第１のチャネル品質および第２のチャネル品質とをさらに含むことを示す。
【０１１５】
２つの異なる干渉仮定（Ｐｒｅ−ＩＣおよびＰｏｓｔ−ＩＣ）と組み合わせて複数のコードワードのＣＱＩを報告する場合、１つのＣＱＩが両方のコードワードに適用されることを指定することによって、または、４つのＣＱＩ（２つのコードワードそれぞれのＰｒｅ−ＩＣ  ＣＱＩおよびＰｏｓｔ−ＩＣ  ＣＱＩ）を伝える目的で報告フォーマットのサイズを大きくすることによって、報告をさらに容易にすることができる。さらに、ＬＴＥの現在の仕様では、非特許文献１の表６.３.３.２−１に定義されているように、１つのコードワードを複数の空間レイヤにマッピングする処理がサポートされている。
【０１１６】
本発明の別の例によると、第２の広帯域ＣＱＩ用に予約されている（４個の）ビットを、第１の広帯域ＣＱＩを基準とする差分ＣＱＩ報告のための特定の数のビットと、ＣＱＩ値を求めるのに使用された干渉仮定を示すための特定の数のビットとに分割する。一般的には、第１のチャネル品質および第２のチャネル品質のうちの一方が、他方よりも大きいサイズを有する。第１の品質のサイズと第２の品質のサイズの正の差に対応する数のビットを、サイズが小さい方のチャネル品質を求めるのに使用された干渉仮定を示す干渉仮定インジケータとして使用する。チャネル品質の一方のサイズを０とすることもできる。図１１は、広帯域ＣＱＩのビットフィールドを使用するためのさまざまな例示的なオプションを示している。具体的には、図１１は、以下に説明する実施形態Ａ、実施形態Ｂ、および実施形態Ｃによる、第２のコードワードのリリース１１の広帯域ＣＱＩビットの（再）解釈を示している。
【０１１７】
実施形態Ａによると、第２のコードワードのための元の（リリース１１の）ビットフィールドの広帯域ＣＱＩビットすべてを、第２の干渉仮定想定に関連する広帯域ＣＱＩを報告する目的に使用する（すなわち、図８、図９、および図１０を参照しながら上述した変形形態において採用される方法）。
【０１１８】
実施形態Ｂによると、第２のコードワードのための元の（リリース１１の）ビットフィールドの広帯域ＣＱＩ報告のうちの２個のビットを、第２の干渉仮定に関連する広帯域ＣＱＩを報告する目的に使用し、２個のビットを干渉仮定指示情報（ＩＨＩ）に使用し、干渉仮定指示情報（ＩＨＩ）は、第２のＣＱＩ値、あるいは第１のＣＱＩ値および第２のＣＱＩ値の両方、を求めるために使用された干渉仮定を受信側ｅＮＢに知らせる。この場合、第２の広帯域ＣＱＩレベルは、第１の広帯域ＣＱＩレベルに対する差分報告によって与えられることが有利である。
【０１１９】
第２のＣＱＩのための２ビットと、ＩＨＩのための２ビットというサイズは、例示的なものにすぎず、一般的には、このＬＴＥに固有な例においては、第２のＣＱＩが１ビットまたは３ビットを有し、これに相応してＩＨＩが３ビットまたは１ビットを有することができる。しかしながら他のシステム、さらにはＬＴＥにおいても、ＩＨＩのサイズおよび第２のＣＱＩのサイズを上記とは異なるように設定することもできる。特に、第２のＣＱＩからビットを取らずにＩＨＩを送信することもできる。すなわち第１のＣＱＩから、またはＰＭＩもしくはＲＩから、ビットを取ることができる。また、別のフィールドからビットを取らずにＩＨＩを個別にシグナリングすることもできる。このような場合、ＮＡＩＣＳ報告のチャネル状態情報メッセージは、リリース１１とは異なるフォーマットを有する。
【０１２０】
ＩＨＩの２個の（一般的には任意の数の）ビットを使用して、干渉仮定の４つの異なる組合せを識別することができる。このような組合せは、例えば、干渉の除去または抑制の目的において干渉源とみなされる複数の異なるｅＮＢを識別することができる。一例によると、ＩＨＩは、第２の品質を求めるために適用された第２の仮定のみを識別する。例えば以下のように想定する、すなわち、第１の品質が、干渉の除去または抑制のための何らの処理も適用することなく求められた品質であり、第２の仮定がＩＨＩによって識別される。別の例によると、ＩＨＩは、第１の品質を求めるために適用された第１の仮定と、第２の品質を求めるために適用された第２の仮定との組合せを識別する。この組合せを、一緒に符号化する、または個別に符号化することができる。
【０１２１】
複数の異なる干渉仮定を、上位層シグナリング（ＲＲＣ）によってあらかじめ設定しておかなければならない。言い換えれば、上の例におけるＩＨＩは２ビット長であり、これは４つの異なる値に対応する。これらの値と特定の仮定（または仮定の組合せ）との間の割当ては、あらかじめ認識しておく必要がある。このような割当てを設定できるようにするため、事前に定義されるメッセージに含まれる、割当てを定義する情報要素などの手段を、上位層シグナリングによって提供することができる。
【０１２２】
実施形態Ｃは、極端な場合を表しており、広帯域ＣＱＩの４個のビットすべてがＩＨＩのために使用される。したがって、干渉仮定の１６の組合せを区別することができる。この場合、報告フォーマットを既存のフォーマットとの互換性を持つようにする場合、選択された干渉仮定に関連する広帯域ＣＱＩ報告を提供することはできない。選択された干渉仮定に関連するサブバンドＣＱＩ報告については、対応する差分ＣＱＩ報告のための基準が、第１の広帯域ＣＱＩレベルである、または、各サブバンドにおいてそれぞれの第１のサブバンドＣＱＩレベルであるならば、依然として可能である。
【０１２３】
別の課題は、ＮＡＩＣＳ  ＣＳＩ報告を設定するための可能な方法である。以下は、複数の干渉仮定を使用する、または使用しないＣＳＩ報告を識別するためのさまざまな例示的なオプションである（干渉仮定を使用しないＣＳＩ報告はリリース１１の報告に相当する）。
・  上位層シグナリング（ＲＲＣ）によって半静的に設定する
・  ｅＮＢが（Ｅ）ＰＤＣＣＨでのＣＳＩ要求によって動的に要求する（ＤＣＩフォーマットの対応する拡張（１個のビット）が必要となる）
・  ユーザ機器が報告自体の中で動的に示す（ＣＳＩ報告に追加のビットを導入する必要がある）
【０１２４】
言い換えれば、データを受信する装置は、報告タイプ設定ユニット１２６０をさらに備えており、報告タイプ設定ユニット１２６０は、半静的な上位層シグナリング、装置に送信されるチャネル状態情報メッセージ要求を送信するための要求の中での動的なシグナリング、または、チャネル状態情報メッセージの中の報告タイプインジケータにおける動的なシグナリング、のうちの少なくとも１つに基づいて、チャネル状態情報メッセージの解釈を、第１のチャネル品質および第２のチャネル品質を送信するメッセージ、または、第３のチャネル品質を送信するメッセージ、のいずれかに設定する。
【０１２５】
「半静的」という用語は、報告のタイプ（コードワードまたは仮定）の設定が、報告自体よりも低い頻度で実行されることを意味する。したがって、たとえ報告のタイプが設定可能であっても、設定は各報告（ＣＳＩメッセージ）ごとに実行されるのではなく、複数のこのようなメッセージを対象に実行される。「動的」という用語は、報告のタイプを各報告ごとに変更できることを意味する。
【０１２６】
図１４は、例示的なＣＳＩ報告の状態および状態の遷移を示している。特に、２つの主状態、すなわち、１）ＮＡＩＣＳ用に設定されていないＣＳＩ報告（リリース１１の報告など）の送信、２）ＮＡＩＣＳ用に設定されているＣＳＩ報告（上のいくつかの実施形態において説明した、複数の干渉仮定に関連するＣＱＩを含む報告など）の送信、を区別する。これらの状態は、図１４において点線の楕円によって示してある。これら２つの状態それぞれは、２つの内部サブ状態を含み、内部サブ状態は、報告フォーマット、すなわち、１つのＣＱＩのみ（１つのコードワードのみのＣＱＩ  Ａ、または１つの仮定のみに関連するＣＱＩ  Ａ＊）が報告される、ＲＩ＝１の場合の第１のフォーマット、または、（少なくとも）２つのＣＱＩ（２つの異なるコードワードのそれぞれのＣＱＩ  ＡおよびＣＱＩ  Ｂ、または、２つの異なる仮定に関連するそれぞれのＣＱＩ  Ａ＊およびＣＱＩ  Ｂ＊）が報告される、ＲＩ＞１の場合の第２のフォーマット、を決める。
【０１２７】
上の説明は、データ受信装置に関する。本発明の別の実施形態は、上述したデータ受信装置に対応して動作する、データ送信装置、を提供する。このデータ送信装置は、特に、上述した実施形態および例のうちの１つまたは複数によるチャネル状態情報メッセージを受信することができ、受信するように構成されている。
【０１２８】
この実施形態による、データを送信する装置１２００ｂは、データ受信装置から受信されるチャネル状態情報メッセージの中で第１のチャネル品質および第２のチャネル品質を受信する受信ユニット１２１０ｂであって、第１のチャネル品質が第１の干渉仮定に従って求められており、第２のチャネル品質が別の第２の干渉仮定に従って求められている、受信ユニット１２１０ｂと、第１のチャネル品質および第２のチャネル品質に基づいてリンク設定を決定するリンクアダプテーションユニット１２８０と、決定されたリンクパラメータに従ってデータをデータ受信装置に送信する送信ユニット１２３０ｂと、を備えている。この場合、リンク設定とは、プリコーダや変調・符号化方式などの送信パラメータを意味する。リンク設定は、データ受信装置から受信される上述したＣＳＩメッセージによって伝えられるフィードバック報告に基づいて実行されることが好ましい。
【０１２９】
さらに、本発明は、ネットワークノードからデータを受信する方法において具体化することができ、本方法は、以下のステップ、すなわち、ネットワークノードから基準信号を受信するステップ（１３２０）と、受信ユニットによって受信されて第１の干渉仮定に従って処理された（１３３０）基準信号、に従って第１のチャネル品質を求め、別の第２の干渉仮定に従って処理された（１３３０）基準信号、に従って第２のチャネル品質を求める、ステップ（１３４０）と、第１のチャネル品質および第２のチャネル品質をチャネル品質メッセージの中でネットワークノードに送信するステップ（１３６０）と、を含む。
【０１３０】
さらには、本発明は、ネットワークノードにおいて実行される、データを送信する方法において具体化することができ、本方法は、以下のステップ、すなわち、データ受信装置から受信されるチャネル状態情報メッセージの中で第１のチャネル品質および第２のチャネル品質を受信するステップであって、第１のチャネル品質が第１の干渉仮定に従って求められており、第２のチャネル品質が別の第２の干渉仮定に従って求められている、ステップと、第１のチャネル品質および第２のチャネル品質に基づいてリンク設定を決定するステップと、決定されたリンクパラメータに従ってデータをデータ受信装置に送信するステップと、を含む。
【０１３１】
データを受信し、フィードバック情報を送信する本方法は、受信された基準信号を、第２の干渉仮定に従って、もしくは、第１の仮定に従って、またはその両方に従って、干渉の除去または抑制によって処理するステップ、をさらに含む。ＣＳＩ報告フォーマットに関する上のいくつかの実施形態（装置に関連して説明したが、対応する方法にも等しく適用される）において説明したように、第１の干渉仮定が、干渉が存在しないこととすることができ、第２の干渉仮定が、干渉が存在することとすることができる。これに代えて、２つの仮定は、ＣＱＩを求めるための仮定として適用される、それぞれの異なる干渉パラメータセットとすることができる。このようなパラメータセットは、異なる干渉セル（ｅＮＢ）などの異なる干渉源に関するパラメータセット、または、同じ干渉源に関して考慮される異なるパラメータを含むパラメータセットとすることができる。
【０１３２】
さらには、上の方法は、複数の空間レイヤの第３のチャネル品質を基準信号に従って求めるステップ、をさらに含むことができる。このステップは、第１の品質および第２の品質を求めるステップの代わりに実行することができ、したがって、１つのＣＳＩメッセージを生成する目的で、第１および第２のチャネル品質、または第３のチャネル品質のいずれかを求める。
【０１３３】
これを容易にする目的で、上述したように、チャネル状態情報メッセージは、次のフォーマットを有し、すなわち、第３のチャネル品質をシグナリングするときには、ランクインジケータが、複数のアンテナによって送信されるレイヤの数を示し、第３のチャネル品質が、ランクインジケータによって示されるレイヤの数に従う複数のコードワードのチャネル品質を含み、プリコーディング行列インジケータが、マルチレイヤ送信のプリコーディング行列を示し、第１および第２のチャネル品質をシグナリングするときには、仮定インジケータが、シグナリングされるチャネル品質に関連する仮定を示し、第１のチャネル品質もしくは第２のチャネル品質またはその両方が、仮定インジケータによる仮定に関連し、プリコーディング行列インジケータが、シングルレイヤ送信のプリコーディング行列を示す。
【０１３４】
さらには、図７〜図１１を参照しながら説明した実施形態や例など、上述したすべての実施形態および例は、これらの方法にも等しく適用される。特に、チャネル品質を求めるステップと、ＣＳＩメッセージを生成するステップは、上に提示したＣＳＩメッセージのフォーマットを生成することによって機能する。
【０１３５】
データを受信し、フィードバックを送信する本方法は、半静的な上位層シグナリング、データ受信装置に送信されるチャネル状態情報メッセージ要求を送信するための要求の中での動的なシグナリング、または、チャネル状態情報メッセージの中の報告タイプインジケータにおける動的なシグナリング、のうちの少なくとも１つに基づいて、チャネル状態情報メッセージの解釈を、第１のチャネル品質および第２のチャネル品質を送信するメッセージ、または、第３のチャネル品質を送信するメッセージ、のいずれかに設定するステップ、をさらに含む。さらには、データを受信する本方法は、ネットワークノードまたは別のノードからデータを受信するステップ、をさらに含むことができる。このような別のノードまたはネットワークノードは、ＣＳＩメッセージを受信し、それに応じてリンクパラメータを調整することが有利である。具体的には、このような別のノードまたはネットワークノードは、複数の異なる仮定に関連する受信されたＣＱＩに基づいて、変調・符号化方式を含むトランスポートフォーマットを選択する。図１３の流れ図は、フィードバック報告を送信する方法を例示している。具体的には、ネットワークノードまたは別のノードから報告のタイプを設定として受信する（１３１０）ことによって、上述したように報告のタイプを静的または動的に設定することができる。報告のタイプは、リリース１１の報告が設定されるのかＮＡＩＣＳ報告が設定されるのか、すなわち、第３の品質（コードワードごとの報告）を生成して（１３４０，１３５０）送信する（１３６０）のか、第１および第２の品質（干渉仮定ごとの報告）を生成して（１３４０，１３５０）送信する（１３６０）のかを指定する。しかしながら、本発明はこれに限定されず、報告のタイプを受信するステップ（１３１０）は必須ではなく、なぜなら、何らかの一定の規則に従って報告を設定することもでき、したがって報告のタイプを設定および再設定するステップが不要となるためである。
【０１３６】
さらに、本方法は、基準信号を受信するステップ（１３２０）を含む。次いで、複数の仮定に関連するＣＱＩを求めるか否か（１３２５）に応じて、処理された（ステップ１３３０において対応する干渉仮定（Ｐｒｅ−ＩＣ、Ｐｏｓｔ−ＩＣなど）に従って処理された）基準信号に基づいて、または、１つまたは複数のコードワードの基準信号に基づいて、ＣＱＩを求める（１３４０）。次いで、生成されたＣＱＩをＣＳＩメッセージの中に含め（１３５０）、このＣＳＩメッセージは、上述した例および実施形態のいずれかに従って、さらにＲＩおよび（１つまたは複数の）ＰＭＩによって形成される。次いで、生成されたＣＳＩメッセージを、ネットワークノード（ｅＮＢ、中継ノード）または別のノード（別のユーザ装置など）に送信する（１３６０）。
【０１３７】
本発明の別の態様によると、具体化されたコンピュータ可読プログラムコードを有するコンピュータ可読媒体を備えたコンピュータプログラム製品であって、プログラムコードが、本発明を実行するようにされている、コンピュータプログラム製品、を提供する。
【０１３８】
本発明の一態様によると、上述した装置は、集積回路上に具体化される。
【０１３９】
背景技術のセクションにおける説明は、本明細書に記載した特定の例示的な実施形態を深く理解することを目的としており、移動通信ネットワーク（３ＧＰＰ標準規格に準拠したネットワークなど）におけるプロセスおよび機能の、説明した特定の実施形態に本発明を制限するものではないことを理解されたい。しかしながら、本明細書に提案した改良は、背景技術のセクションに記載したアーキテクチャ／システムにおいてただちに適用することができ、本発明のいくつかの実施形態においては、これらのアーキテクチャ／システムの標準的な手順および改良された手順を利用することができる。特定の実施形態において示した本発明には、広義に記載されている本発明の概念または範囲から逸脱することなく、さまざまな変更もしくは修正またはその両方を行うことができることが、当業者には理解されるであろう。
【０１４０】
本発明の別の実施形態は、上述したさまざまな実施形態を、ハードウェアおよびソフトウェアを使用して実装することに関する。本発明のさまざまな実施形態は、コンピューティングデバイス（プロセッサ）を使用して実施または実行できることを理解されたい。コンピューティングデバイスまたはプロセッサは、例えば、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他プログラマブルロジックデバイスなどとすることができる。本発明のさまざまな実施形態は、これらのデバイスの組合せによって実行または具体化することもできる。
【０１４１】
さらに、本発明のさまざまな実施形態は、プロセッサによって実行されるソフトウェアモジュールによって実施する、あるいはハードウェアに直接実装することができる。また、ソフトウェアモジュールとハードウェア実装の組合せも可能である。ソフトウェアモジュールは、例えばＲＡＭ、ＥＰＲＯＭ、ＥＥＰＲＯＭ、フラッシュメモリ、レジスタ、ハードディスク、ＣＤ−ＲＯＭ、ＤＶＤなど、任意の種類のコンピュータ可読記憶媒体に格納することができる。
【０１４２】
本発明は、干渉状態の少なくとも２つの異なる想定（すなわち２つの干渉仮定）下における受信品質に関するフィードバックを報告することに関する。具体的には、２つの異なる干渉仮定下における同じ基準リソースに対する第１の受信品質および第２の受信品質を求める。次いで、第１の受信品質および第２の受信品質を同じチャネル状態メッセージの中で送信する。
【図１】
0006374981.tif 000010
【図２】
0006374981.tif 000011
【図３】
0006374981.tif 000012
【図４】
0006374981.tif 000013
【図５】
0006374981.tif 000014
【図６】
0006374981.tif 000015
【図７】
0006374981.tif 000016
【図８】
0006374981.tif 000017
【図９】
0006374981.tif 000018
【図１０】
0006374981.tif 000019
【図１１】
0006374981.tif 000020
【図１２】
0006374981.tif 000021
【図１３】
0006374981.tif 000022
【図１４】
0006374981.tif 000023
【図１５】
0006374981.tif 000024